(57)【要約】【課題】左右の株元搬送機構と中央の掻込機構とを有する刈取部を備えたコンバインであって、左右の株元搬送機構と中央の掻込機構との間に詰まった穀稈を容易に取り除くことが可能なコンバインを提供する。【解決手段】刈り取られた穀稈の株元を把持して後方に搬送する左側株元搬送機構ＢＬ及び右側株元搬送機構ＢＲと、左側株元搬送機構ＢＬと右側株元搬送機構ＢＲとの間に位置するとともに、穀稈の株元を後方に向かって掻き込む中央掻込機構Ｒｃ１とを備えたコンバイン１において、左側株元搬送機構ＢＬ及び右側株元搬送機構ＢＲに対して中央掻込機構Ｒｃ１が移動可能に構成されている。【選択図】図８
2016140332.tif 000002
【特許請求の範囲】
【請求項１】
刈り取られた穀稈の株元を把持して後方に搬送する左側株元搬送機構及び右側株元搬送機構と、
前記左側株元搬送機構と前記右側株元搬送機構との間に位置するとともに、穀稈の株元を後方に向かって掻き込む中央掻込機構とを備えたコンバインにおいて、
前記左側株元搬送機構及び前記右側株元搬送機構に対して前記中央掻込機構が移動可能に構成されている、コンバイン。
【請求項２】
前後方向を向く上部センターケースと、
左右方向を向くように前記上部センターケースに接続されるとともに、前記中央掻込機構の上方に位置する上部横伝動ケースと、
前記上部横伝動ケースと前記中央掻込機構とを連結する中搬送ケースとを備え、
前記中央掻込機構及び前記中搬送ケースが一体として前記上部横伝動ケース回りに回転可能に構成されている、ことを特徴とする請求項１に記載のコンバイン。
【請求項３】
前記中央掻込機構に連結されるとともに、掻き込まれた穀稈の株元を後上方に向かって搬送する中央株元搬送機構と、
前後方向を向く上部センターケースと、
左右方向を向くように前記上部センターケースに接続されるとともに、前記中央掻込機構及び前記中央株元搬送機構の上方に位置する上部横伝動ケースと、
前記上部横伝動ケースと前記中央掻込機構とを連結する中搬送ケースと、
前記上部センターケースに収容され、動力を伝達する刈取入力軸に連結される上部縦伝動軸と、
前記上部横伝動ケースに収容され、前記上部縦伝動軸に連結される上部横伝動軸と、
前記中搬送ケースに収容され、前記上部横伝動軸に連結されるとともに動力を前記中央株元搬送機構に伝達する中搬送伝動軸とを備える、ことを特徴とする請求項１に記載のコンバイン。
【発明の詳細な説明】
【技術分野】
【０００１】
本発明は、コンバインに関する。
【背景技術】
【０００２】
左右の株元合流搬送チェンと中央の掻込輪とを含む刈取部を備えたコンバインが、従来から知られている（特許文献１参照）。左右の株元合流搬送チェンは、刈取部において左右端に位置する刈取穀稈の株元を把持して後方に搬送する。中央の掻込輪は、左右の株元搬送装置の間に位置する。また、中央の掻込輪は、左右方向の略中央に位置する刈取穀稈の株元を後方に向かって掻き込む。
【０００３】
このようなコンバインにおいて、左右の株元搬送チェンを含む株元搬送機構と中央の掻込輪を含む掻込機構との間に詰まった穀稈を容易に取り除くための構成が望まれていた。
【先行技術文献】
【特許文献】
【０００４】
【特許文献１】特開２００６−２２３２６１号公報
【発明の概要】
【発明が解決しようとする課題】
【０００５】
本発明は、左右の株元搬送機構と中央の掻込機構とを有する刈取部を備えたコンバインであって、左右の株元搬送機構と中央の掻込機構との間に詰まった穀稈を容易に取り除くことが可能なコンバインを提供することを目的とする。
【課題を解決するための手段】
【０００６】
本発明の解決しようとする課題は以上の如くであり、次にこの課題を解決するための手段を説明する。
【０００７】
請求項１に係る発明は、
刈り取られた穀稈の株元を把持して後方に搬送する左側株元搬送機構及び右側株元搬送機構と、
前記左側株元搬送機構と前記右側株元搬送機構との間に位置するとともに、穀稈の株元を後方に向かって掻き込む中央掻込機構とを備えたコンバインにおいて、
前記左側株元搬送機構及び前記右側株元搬送機構に対して前記中央掻込機構が移動可能に構成されている、としたものである。
【０００８】
請求項２に係る発明は、請求項１に記載したコンバインにおいて、
前後方向を向く上部センターケースと、
左右方向を向くように前記上部センターケースに接続されるとともに、前記中央掻込機構の上方に位置する上部横伝動ケースと、
前記上部横伝動ケースと前記中央掻込機構とを連結する中搬送ケースとを備え、
前記中央掻込機構及び前記中搬送ケースが一体として前記上部横伝動ケース回りに回転可能に構成されている、としたものである。
【０００９】
請求項３に係る発明は、請求項１に記載したコンバインにおいて、
前記中央掻込機構に連結されるとともに、掻き込まれた穀稈の株元を後上方に向かって搬送する中央株元搬送機構と、
前後方向を向く上部センターケースと、
左右方向を向くように前記上部センターケースに接続されるとともに、前記中央掻込機構及び前記中央株元搬送機構の上方に位置する上部横伝動ケースと、
前記上部横伝動ケースと前記中央掻込機構とを連結する中搬送ケースと、
前記上部センターケースに収容され、動力を伝達する刈取入力軸に連結される上部縦伝動軸と、
前記上部横伝動ケースに収容され、前記上部縦伝動軸に連結される上部横伝動軸と、
前記中搬送ケースに収容され、前記上部横伝動軸に連結されるとともに動力を前記中央株元搬送機構に伝達する中搬送伝動軸とを備える、としたものである。
【発明の効果】
【００１０】
本発明の効果として、以下に示すような効果を奏する。
【００１１】
請求項１に係る発明によれば、左側株元搬送機構及び右側株元搬送機構に対して中央掻込機構が移動することによって、左右の株元搬送機構と中央掻込機構との間隔を広げることができる。そのため、左右の株元搬送機構と中央掻込機構との間に詰まった穀稈を容易に取り除くことができる。従って、左右の株元搬送機構と中央掻込機構との間に詰まった穀稈を容易に取り除くことが可能なコンバインを提供することができる。
【００１２】
請求項２に係る発明によれば、中央掻込機構を上方から支持しているため、中央掻込機構の下方に比較的大きな空間を形成することができる。これにより、穀稈の詰まりを抑制できる。また、僅かな回転角度で中央掻込機構及び中搬送ケースが回転する場合でも、回転中心から中央掻込機構までの距離に応じて中央掻込機構の移動量が大きくなる。左右の株元搬送機構に対して、より大きく中央掻込機構が移動することによって、容易に穀稈を取り除くことができる。従って、左右の株元搬送機構と中央掻込機構との間に詰まった穀稈を容易に取り除くことが可能なコンバインを提供することができる。
【００１３】
請求項３に係る発明によれば、中央掻込機構及び中央株元搬送機構を上方から支持しているため、中央掻込機構及び中央株元搬送機構の下方に比較的大きな空間を形成することができる。これにより、穀稈の詰まりを抑制できる。従って、左右の株元搬送機構と中央掻込機構との間に詰まった穀稈を容易に取り除くことが可能なコンバインを提供することができる。
【図面の簡単な説明】
【００１４】
【図１】コンバインの側面図である。
【図２】コンバインの平面図である。
【図３】コンバインの刈取部の概略側面図である。
【図４】第１実施形態のコンバインの刈取部の概略平面図である。
【図５】第１実施形態のコンバインの刈取部の構成であって、エンジンの動力を伝達する機構を示すブロック図である。
【図６】中央掻込機構と上部横伝動ケースとを連結する構成を示す第１実施形態のコンバインの刈取部の平面図である。
【図７】図６に示すＶＩＩ−ＶＩＩ線の断面拡大端面図である。
【図８】引起装置の回転と中央掻込機構の回転とを示す刈取部の側面図である。
【図９】中央掻込機構の回転と中央株元搬送機構の回転とを示す第１実施形態のコンバインの刈取部の平面図である。
【図１０】第２実施形態のコンバインの刈取部の構成であって、エンジンの動力を伝達する機構を示すブロック図である。
【図１１】中央掻込機構と上部横伝動ケースとを連結する構成を示す第２実施形態のコンバインの刈取部の平面図である。
【図１２】中央掻込機構の回転と中央株元搬送機構の回転とを示す第２実施形態のコンバインの刈取部の平面図である。
【図１３】第３実施形態のコンバインの刈取部の構成であって、エンジンの動力を伝達する機構を示すブロック図である。
【図１４】中央掻込機構と上部横伝動ケースとを連結する構成を示す第３実施形態のコンバインの刈取部の平面図である。
【図１５】中央掻込機構の回転と中央株元搬送機構の回転とを示す第３実施形態のコンバインの刈取部の平面図である。
【図１６】第４実施形態のコンバインの刈取部の構成であって、エンジンの動力を伝達する機構を示すブロック図である。
【図１７】中央掻込機構と上部横伝動ケースとを連結する構成を示す第４実施形態のコンバインの刈取部の平面図である。
【図１８】中央掻込機構の回転を示す第４実施形態のコンバインの刈取部の平面図である。
【発明を実施するための形態】
【００１５】
（第１実施形態）
本発明の技術的思想は、左側株元搬送機構及び右側株元搬送機構と、中央掻込機構とを備えたコンバインに適用することが可能である。以下に、本発明の第１実施形態としてのコンバイン１について説明する。
【００１６】
図１は、コンバイン１の側面図である。図２は、コンバイン１の平面図である。
なお、以下においては、図１に示される矢印Ａの向きを進行方向の前向きとする。また、図１には、コンバイン１の前後方向及び上下方向を表す。図２には、コンバイン１の前後方向及び左右方向を表す。
【００１７】
コンバイン１は、走行部２、刈取部３、脱穀部４、フィードチェン５、グレンタンク６、排出オーガ７、運転操作部８、及び、エンジン９を備える。
【００１８】
走行部２は、走行機体２１とクローラ２２とを有する。左右一対のクローラ２２は、走行機体２１を支持している。刈取部３は、コンバイン１において穀稈を刈り取る部位である。刈取部３は、走行機体２１の前部に設けられている。後述するように、コンバイン１の刈取部３は、七条刈用の構成を有する。
【００１９】
脱穀部４は、コンバイン１において穀稈の穂から穀粒を取り離す部位である。脱穀部４は、走行機体２１の上部に設けられている。脱穀部４に設けられたフィードチェン５は、脱穀時に穀稈の株元を把持しながら、穀稈を後方へ搬送する。グレンタンク６は、コンバイン１において脱穀及び選別後の穀粒を貯留するためのものである。グレンタンク６は、脱穀部４の側方に設けられている。
【００２０】
排出オーガ７は、グレンタンク６に貯溜された穀粒を外部へ排出するためのものである。排出オーガ７は、筒形状を有する。図中に示された排出オーガ７は、コンバイン１に収容された状態のものであって、グレンタンク６の後方からコンバイン１の左側前方部にわたる範囲で横たわっている。
【００２１】
運転操作部８は、走行機体２１の前部に設けられている。運転操作部８には、運転座席８１、操向ハンドル８２、及び、各種操作レバー等が配置されている。エンジン９は、走行機体２１において運転座席８１の下方に配置されている。
【００２２】
次に、図３、図４及び図５を更に用いて、刈取部３について説明する。
図３は、刈取部３の側面図である。図４は、刈取部３の平面図である。図５は、エンジン９の動力を伝達する機構を示すブロック図である。
【００２３】
刈取部３は、刈取フレーム１０、引起装置３１、分草板３２、刈刃３３、掻込装置３４、及び、搬送装置３５を備える。
【００２４】
図３に示すように、刈取部３の先端には、７条分８つの分草板３２が設けられている。各分草板３２の先端が尖っており、後部は丸みを帯びた形状を有する。各分草板３２によって、刈り取られる穀稈と圃場に残される穀稈とが分離されるとともに、刈り取る穀稈が１条毎に分離される。
【００２５】
引起装置３１は、各分草板３２によって１条毎に分離された穀稈を引き起こす。引起装置３１は、引起ケース６１を７条分７つ有する。また、各引起ケース６１は、タイン付チェン６２を回転駆動可能に支持する。各引起ケース６１は、分草板３２の後方に位置する。また、各引起ケース６１は、前端よりも後端が高い位置に配置されるように後傾し、左右方向に沿って適宜の間隔をあけて並べられる。図５に示すように、引起装置３１は、１条毎の未刈穀稈を起立させる引起タインＳ１・Ｓ２・Ｓ３・Ｓ４・Ｓ５・Ｓ６・Ｓ７を備える。各引起タインＳ１，・・・，Ｓ７は、各引起ケース６１に設けられる。
【００２６】
掻込装置３４は、引起装置３１によって引き起こされた穀稈の株元を掻き込む。掻込装置３４は、第一掻込機構Ｒｋ１、第二掻込機構Ｒｋ２、第三掻込機構Ｒｋ３、及び、第四掻込機構Ｒｋ４を有する。これら第一〜第四掻込機構Ｒｋ１〜Ｒｋ４は、前側が後側よりも下方に配置されるように後傾し、左右方向に沿って適宜の間隔をあけて並べられている。図３に示すように、掻込装置３４は、引起装置３１の後方に配置される。
【００２７】
刈刃３３を含む切断装置は、掻込装置３４の下方に設けられている。刈刃３３は、掻込装置３４によって掻き込まれた７条分の穀稈Ｃ１〜Ｃ７を切断する。
【００２８】
図３に示すように、刈取フレーム１０は、刈取入力ケース１１、縦伝動ケース１２、横伝動ケース１３、複数の分草フレーム１４、駆動ケース１５、引起縦伝動ケース１６、縦連結フレーム（図示せず）、引起横伝動ケース１７、複数の引起駆動ケース１８、上部センターケース１９、上部横伝動ケース２０、左側中搬送ケース２３Ｌ、及び、右側中搬送ケース２３Ｒを有する。これら各ケース等は、金属製の管部材であって、中空形状を有する。
【００２９】
刈取入力ケース１１は、脱穀部４の前方において左右方向に沿って横たわっている。運転座席８１の後下方には、左右一対の装着台８３が設けられている。各装着台８３の上部には、割パイプ継手８４が設けられている。刈取入力ケース１１の左右の端部が、割パイプ継手８４を介して各装着台８３の上部に回転自在に且つ着脱自在に取り付けられている。
【００３０】
縦伝動ケース１２は、縦伝動ケース１２の前端が後端よりも下方に位置するように、刈取入力ケース１１の中間部に接続されている。縦伝動ケース１２の軸線方向は、刈取入力ケース１１の軸線方向に略直交する。
【００３１】
縦伝動ケース１２の前端は、横伝動ケース１３の中間部に接続されている。横伝動ケース１３の軸線方向は、刈取入力ケース１１の軸線方向に略平行であって、縦伝動ケース１２の軸線方向に略直交する。
【００３２】
分草フレーム１４は、７条分８本の管部材によって構成されている。分草フレーム１４の各管部材は、左右方向に沿って適宜の間隔をあけて並べられる。分草フレーム１４は、前後方向を向いており、各管部材の後部が横伝動ケース１３に接続されている。各管部材の中間部は、上方に突出するように屈曲している。各分草フレーム１４の前端部には、各分草板３２の先端が前方を向くように、分草板３２が取り付けられる。
【００３３】
分草フレーム１４の下方には、駆動パイプ１５が接続されている。駆動パイプ１５によって分草フレーム１４の各管部材が連結されることにより、７条分８本の管部材が一体として分草フレーム１４を構成する。駆動パイプ１５は、横伝動ケース１３の前斜下方に位置し、分草フレーム１４の左端の管部材と右端の管部材との間に左右方向に沿って架け渡されている。
【００３４】
引起縦伝動ケース１６は、横伝動ケース１３の左端部に接続されている。引起縦伝動ケース１６の上端が下端よりも前方に位置するように、引起縦伝動ケース１６は前傾姿勢で起立している。引起縦伝動ケース１６の軸線方向は、上下方向を向いている。
【００３５】
一方、横伝動ケース１３の右端部には、縦連結フレームが接続されている（図示せず）。縦連結フレームの軸線方向は、上下方向を向いている。
【００３６】
引起横伝動ケース１７は、左右方向に沿って、引起縦伝動ケース１６の上端部と縦連結フレームの上端部との間に架け渡されている。引起横伝動ケース１７には、引起駆動ケース１８が連結されている。引起駆動ケース１８は、７条分７本の管部材によって構成されている。引起駆動ケース１８の各管部材の軸線方向は、上下方向を向いている。各管部材は、左右方向に沿って所定間隔をあけて並べられている。引起横伝動ケース１７には、各管部材の上端が接続されている。コンバイン１の平面視又は正面視において、各分草フレーム１４の間及び各引起駆動ケース１８の間には、各引起ケース６１が配置されている。各引起ケース６１は、後下方の分草フレーム１４と後上方の引起駆動ケース１８とに支持されている。
【００３７】
上部センターケース１９は、前後方向を向いており、刈取入力ケース１１に接続されている。上部センターケース１９の前端は引起横伝動ケース１７よりも後方に位置し、後端が刈取入力ケース１１の中間部に接続される。上部センターケース１９は、縦伝動ケース１２の上方に位置する。上部センターケース１９は、掻込機構３４及び搬送装置３５の上方に位置する。
【００３８】
引起横伝動ケース１７の後方には、左右方向に沿って上部横伝動ケース２０が横たわっている。上部横伝動ケース２０の中間部には、上部センターケース１９の前端が接続される。上部横伝動ケース２０は、掻込機構３４及び搬送装置３５の上方に位置し、左右方向を向いている。
【００３９】
上部横伝動ケース２０には、左右の中搬送ケース２３Ｌ・２３Ｒが連結される（図６参照）。各中搬送ケース２３Ｌ・２３Ｒは、左右方向に沿って所定間隔をあけて並べられている。各中搬送ケース２３Ｌ・２３Ｒは、各中搬送ケース２３Ｌ・２３Ｒの上端が下端よりも前方に位置するように前傾している。また、各中搬送ケース２３Ｌ・２３Ｒは、引起縦伝動ケース１６に平行である。
【００４０】
右側中搬送ケース２３Ｒは、縦伝動ケース１２及び上部センターケース１９よりも左右方向の右側（言い換えると、車幅外側）に位置する。右側中搬送ケース２３Ｒは、上部横伝動ケース２０と、後述の中央右株元搬送機構ＢＣＲとに連結される。
【００４１】
左側中搬送ケース２３Ｌは、右側中搬送ケース２３Ｒよりも左右方向の左側に位置し、縦伝動ケース１２及び上部センターケース１９よりも左右方向の左側（言い換えると、車幅外側）に位置する。左側中搬送ケース２３Ｌは、上部横伝動ケース２０と、後述の中央左株元搬送機構ＢＣＬとに連結される。
【００４２】
また、コンバイン１は、油圧シリンダ３６を備える。油圧シリンダ３６の前端が後端よりも上方に位置するように、油圧シリンダ３６は走行機体２１と縦伝動ケース１２とに連結されている。刈取部３は、油圧シリンダ３６の伸縮によって、刈取入力ケース１１を中心にして回転する。この回転によって、刈取部３が昇降する。言い換えると、刈取部３の高さ位置が変化する。
【００４３】
次に、掻込装置３４として、第一掻込機構Ｒｋ１、第二掻込機構Ｒｋ２、第三掻込機構Ｒｋ３、及び、第四掻込機構Ｒｋ４を説明する。
【００４４】
図４に示すように、第一掻込機構Ｒｋ１は、掻込装置３４のうちの最も右側に配置される掻込機構である。第一掻込機構Ｒｋ１は、７条分の穀稈のうち右側２条分の穀稈（右側から数えて一条目と二条目の穀稈Ｃ１・Ｃ２）の株元を掻き込む。第一掻込機構Ｒｋ１は、左右一対の星形状掻込輪ＳＴ１・ＳＴ２と、左右一対の突起付きの掻込ベルトＢＬ１・ＢＬ２とを備える。
【００４５】
右掻込輪ＳＴ１は、回転軸Ｇ１回りに回転可能に回転軸Ｇ１に固定される。回転軸Ｇ１は、回転軸Ｇ１の上端が下端よりも前方に位置するように鉛直方向に対して前傾し、右掻込輪ＳＴ１は後傾している。左掻込輪ＳＴ２は、回転軸Ｇ２回りに回転可能に回転軸Ｇ２に固定される。回転軸Ｇ２は、回転軸Ｇ２の上端が下端よりも前方に位置するように鉛直方向に対して前傾し、左掻込輪ＳＴ２は後傾している。回転軸Ｇ１と回転軸Ｇ２とは、略平行である。右掻込輪ＳＴ１と左掻込輪ＳＴ２とは、左右方向に沿って隣り合うように並べられて、互いに噛み合わされている。
【００４６】
大径プーリＰｌ１は、右掻込輪ＳＴ１の上方に配置されて、回転軸Ｇ１に固定される。小径プーリＰｓ１は、大径プーリＰｌ１の右前方に配置されて、刈取フレーム１０に対して回転自在に設けられる。右掻込ベルトＢＬ１は、大径プーリＰｌ１と小径プーリＰｓ１とに巻き掛けられる。
【００４７】
大径プーリＰｌ２は、左掻込輪ＳＴ２の上方に配置されて、回転軸Ｇ２に固定される。小径プーリＰｓ２は、大径プーリＰｌ２の左前方に配置されて、刈取フレーム１０に対して回転自在に設けられる。左掻込ベルトＢＬ２は、大径プーリＰｌ２と小径プーリＰｓ２とに巻き掛けられる。
【００４８】
右掻込ベルトＢＬ１と左掻込ベルトＢＬ２とは、左右方向に沿って隣り合うように並べられ、張った状態で概ね前後方向に沿って配置される。互いに対向するベルト面間、即ち、右掻込ベルトＢＬ１の左外側面と左掻込ベルトＢＬ２の右外側面との間の距離は、前方から後方へ向かうに従って徐々に小さくなる。
【００４９】
第一掻込機構Ｒｋ１は、右側掻込機構と左側掻込機構とを有する。第一掻込機構Ｒｋ１の左側掻込機構は、中央掻込機構Ｒｃ１に含まれる。右側掻込機構は、右掻込輪ＳＴ１、右掻込ベルトＢＬ１、大径プーリＰｌ１、小径プーリＰｓ１、及び、回転軸Ｇ１を含む。左側掻込機構は、左掻込輪ＳＴ２、左掻込ベルトＢＬ２、大径プーリＰｌ２、小径プーリＰｓ２、及び、回転軸Ｇ２を含む。
【００５０】
第二掻込機構Ｒｋ２は、掻込装置３４のうちの第一掻込機構Ｒｋ１の左隣に配置される掻込機構である。第二掻込機構Ｒｋ２は、７条分の穀稈のうちの中央３条分の片側すなわち右側１条分の穀稈（三条目の穀稈Ｃ３）の株元を掻き込む。第二掻込機構Ｒｋ２は、星形状を有する単一の掻込輪ＳＴ３と、突起が付いた単一の掻込ベルトＢＬ３とを備える。
【００５１】
掻込輪ＳＴ３は、回転軸Ｇ３回りに回転可能に回転軸Ｇ３に固定される。回転軸Ｇ３は、回転軸Ｇ３の上端が下端よりも前方に位置するように鉛直方向に対して前傾し、掻込輪ＳＴ３は後傾している。掻込輪ＳＴ３は、第一掻込機構Ｒｋ１の左掻込輪ＳＴ２の左側方に配置され、左掻込輪ＳＴ２とは噛み合わされていない。一方、後述の右掻込輪ＳＴ４には、掻込輪ＳＴ３が噛み合わされている。
【００５２】
大径プーリＰｌ３は、掻込輪ＳＴ３の上方に配置されて、回転軸Ｇ３に固定される。小径プーリＰｓ３は、大径プーリＰｌ３の左前方に配置されて、刈取フレーム１０に対して回転自在に設けられる。掻込ベルトＢＬ３は、大径プーリＰｌ３と小径プーリＰｓ３とに巻き掛けられる。掻込ベルトＢＬ３は、張った状態で概ね前後方向に沿って配置される。
【００５３】
第三掻込機構Ｒｋ３は、掻込装置３４のうちの第二掻込機構Ｒｋ２の左隣に配置される掻込装置である。第三掻込機構Ｒｋ３は、７条分の穀稈のうちの中央３条分の残り２条すなわち中央１条分と左側１条分の穀稈（四条目と五条目の穀稈Ｃ４・Ｃ５）の株元を掻き込む。第三掻込機構Ｒｋ３は、それぞれ星形状を有する左右一対の掻込輪ＳＴ４・ＳＴ５と、それぞれ突起が付いた左右一対の掻込ベルトＢＬ４・ＢＬ５とを備える。
【００５４】
右掻込輪ＳＴ４は、回転軸Ｇ４回りに回転可能に回転軸Ｇ４に固定される。回転軸Ｇ４は、回転軸Ｇ４の上端が下端よりも前方に位置するように鉛直方向に対して前傾し、右掻込輪ＳＴ４は後傾している。左掻込輪ＳＴ５は、回転軸Ｇ５回りに回転可能に回転軸Ｇ５に固定される。回転軸Ｇ５は、回転軸Ｇ５の上端が下端よりも前方に位置するように鉛直方向に対して前傾し、左掻込輪ＳＴ５は後傾している。回転軸Ｇ４と回転軸Ｇ５とは、略平行である。右掻込輪ＳＴ４と左掻込輪ＳＴ５とは、左右方向に沿って隣り合うように並べられて、互いに噛み合わされている。
【００５５】
右掻込輪ＳＴ４は、第二掻込機構Ｒｋ２の掻込輪ＳＴ３の左側方に位置し、当該掻込輪ＳＴ３と左右方向に沿って隣り合うように並べられる。つまり、右掻込輪ＳＴ４は、左側方の左掻込輪ＳＴ５と右側方の掻込輪ＳＴ３とに挟まれるように並べられる。そして、右掻込輪ＳＴ４は、掻込輪ＳＴ３と噛み合わされるとともに、左掻込輪ＳＴ５とも噛み合わされる。
【００５６】
大径プーリＰｌ４は、右掻込輪ＳＴ４の上方に配置されて、回転軸Ｇ４に固定される。小径プーリＰｓ４は、大径プーリＰｌ４の左前方に配置されて、刈取フレーム１０に対して回転自在に設けられる。右掻込ベルトＢＬ４は、大径プーリＰｌ４と小径プーリＰｓ４とに巻き掛けられる。
【００５７】
右掻込ベルトＢＬ４と第二掻込機構Ｒｋ２の掻込ベルトＢＬ３とは、左右方向に沿って隣り合うように並べられ、張った状態で概ね前後方向に沿って配置される。互いに対向するベルト面間、即ち、掻込ベルトＢＬ３の左外側面と右掻込ベルトＢＬ４の右外側面との間の距離は、前方から後方へ向かって略一定である。
【００５８】
大径プーリＰｌ５は、左掻込輪ＳＴ５の上方に配置されて、回転軸Ｇ５に固定される。小径プーリＰｓ５は、大径プーリＰｌ５の右前方に配置されて、刈取フレーム１０に対して回転自在に設けられる。左掻込ベルトＢＬ５は、大径プーリＰｌ５と小径プーリＰｓ５とに巻き掛けられる。
【００５９】
右掻込ベルトＢＬ４と左掻込ベルトＢＬ５とは、左右方向に沿って隣り合うように並べられ、張った状態で概ね前後方向に沿って配置される。互いに対向するベルト面間、即ち、右掻込ベルトＢＬ４の左外側面と左掻込ベルトＢＬ５の右外側面との間の距離は、前方から後方へ向かうに従って徐々に小さくなる。
【００６０】
第二掻込機構Ｒｋ２と第三掻込機構Ｒｋ３とは、中央掻込機構Ｒｃ１に含まれる。
【００６１】
第四掻込機構Ｒｋ４は、掻込装置３４のうち、第三掻込機構Ｒｋ３の左隣に、つまり、最も左側に配置される掻込機構である。第四掻込機構Ｒｋ４は、７条分の穀稈のうち左側２条分の穀稈（六条目と七条目の穀稈Ｃ６・Ｃ７）の株元を掻き込む。第四掻込機構Ｒｋ４は、それぞれ星形状を有する左右一対の掻込輪ＳＴ６・ＳＴ７と、それぞれ突起が付いた左右一対の掻込ベルトＢＬ６・ＢＬ７とを備える。
【００６２】
右掻込輪ＳＴ６は、回転軸Ｇ６回りに回転可能に回転軸Ｇ６に固定される。回転軸Ｇ６は、回転軸Ｇ６の上端が下端よりも前方に位置するように鉛直方向に対して前傾し、右掻込輪ＳＴ６は後傾している。左掻込輪ＳＴ７は、回転軸Ｇ７回りに回転可能に回転軸Ｇ７に固定される。回転軸Ｇ７は、回転軸Ｇ７の上端が下端よりも前方に位置するように鉛直方向に対して前傾し、左掻込輪ＳＴ７は後傾している。回転軸Ｇ６と回転軸Ｇ７とは、略平行である。右掻込輪ＳＴ６と左掻込輪ＳＴ７とは、左右方向に沿って隣り合うように並べられて、互いに噛み合わされている。
【００６３】
大径プーリＰｌ６は、右掻込輪ＳＴ６の上方に配置されて、回転軸Ｇ６に固定される。小径プーリＰｓ６は、大径プーリＰｌ６の右前方に配置されて、刈取フレーム１０に対して回転自在に設けられる。右掻込ベルトＢＬ６が、大径プーリＰｌ６と小径プーリＰｓ６とに巻き掛けられる。
【００６４】
大径プーリＰｌ７は、左掻込輪ＳＴ７の上方に配置されて、回転軸Ｇ７に固定される。小径プーリＰｓ７は、大径プーリＰｌ７の左前方に配置されて、刈取フレーム１０に対して回転自在に設けられる。左掻込ベルトＢＬ７が、大径プーリＰｌ７と小径プーリＰｓ７とに巻き掛けられる。
【００６５】
右掻込ベルトＢＬ６と左掻込ベルトＢＬ７とは、左右方向に沿って隣り合うように並べられ、張った状態で概ね前後方向に沿って配置される。互いに対向するベルト面間、即ち、右掻込ベルトＢＬ６の左外側面と左掻込ベルトＢＬ７の右外側面との間の距離は、前方から後方へ向かって略一定である。
【００６６】
第四掻込機構Ｒｋ４は、右側掻込機構と左側掻込機構とを有する。第四掻込機構Ｒｋ４の右側掻込機構は、中央掻込機構Ｒｃ１に含まれる。右側掻込機構は、右掻込輪ＳＴ６、右掻込ベルトＢＬ６、大径プーリＰｌ６、小径プーリＰｓ６、及び、回転軸Ｇ６を含む。左側掻込機構は、左掻込輪ＳＴ７、左掻込ベルトＢＬ７、大径プーリＰｌ７、小径プーリＰｓ７、及び、回転軸Ｇ７を含む。
【００６７】
回転軸Ｇ１・Ｇ２・Ｇ３・Ｇ４・Ｇ５・Ｇ６・Ｇ７のうちの回転軸Ｇ１・Ｇ３・Ｇ５・Ｇ７は、エンジン９が出力する動力を受けて回転する。そのため、回転軸Ｇ１・Ｇ３・Ｇ５・Ｇ７に固定された掻込輪ＳＴ１・ＳＴ３・ＳＴ５・ＳＴ７と掻込ベルトＢＬ１・ＢＬ３・ＢＬ５・ＢＬ７とは、動力に応じて駆動する。一方、回転軸Ｇ２・Ｇ４・Ｇ６に固定された掻込輪ＳＴ２・ＳＴ４・ＳＴ６と掻込ベルトＢＬ２・ＢＬ４・ＢＬ６とは、掻込輪ＳＴ１・ＳＴ３・ＳＴ５・ＳＴ７の回転を受けることによって回転する。
【００６８】
従って、平面視において右掻込輪ＳＴ１が反時計回りに回転することによって、左掻込輪ＳＴ２が時計回りに回転する。また、平面視において掻込輪ＳＴ３及び左掻込輪ＳＴ５が時計回りに回転することによって、右掻込輪ＳＴ４が反時計回りに回転する。更に、平面視において左掻込輪ＳＴ７が時計回りに回転することによって、右掻込輪ＳＴ６が反時計回りに回転する。このような掻込輪ＳＴ１・ＳＴ２・ＳＴ３・ＳＴ４・ＳＴ５・ＳＴ６・ＳＴ７の回転によって掻込ベルトＢＬ１・ＢＬ２・ＢＬ３・ＢＬ４・ＢＬ５・ＢＬ６・ＢＬ７が回転し、掻込装置３４が穀稈を後上方に掻き込む。
【００６９】
なお、コンバイン１において用いられる動力は、エンジン９の出力に限定されず、電動モータ等の別の構成の出力であってもよい。
【００７０】
次に、搬送装置３５について説明する。
なお、以下においては、穀稈が搬送される方向を「搬送方向」という。また、上流とは、搬送方向における刈刃３３により近い方をいう。下流とは、搬送方向における脱穀部４により近い方であって刈刃３３から離れた方をいう。
【００７１】
搬送装置３５は、切断された穀稈を脱穀部４に搬送する。図３に示すように、搬送装置３５は、下部搬送装置Ｂ１、上部搬送装置Ｕ、縦搬送装置Ｖ、補助搬送装置Ｓ、及び、穂先搬送装置Ｔを備える。
【００７２】
下部搬送装置Ｂ１は、刈り取った穀稈の株元を縦搬送装置Ｖまで把持しながら後上方に搬送する。図４に示すように、下部搬送装置Ｂ１は、右側株元搬送機構ＢＲと、中央株元搬送機構Ｂｃ１としての中央右株元搬送機構ＢＣＲ及び中央左株元搬送機構ＢＣＬと、左側株元搬送機構ＢＬとを備える。中央右株元搬送機構ＢＣＲ及び中央左株元搬送機構ＢＣＬは、左側株元搬送機構ＢＬと右側株元搬送機構ＢＲとの間に位置する。
【００７３】
下部搬送装置Ｂ１には、初期合流部Ｘ１、中間合流部Ｘ２及び最終合流部Ｘ３が形成されている。初期合流部Ｘ１、中間合流部Ｘ２及び最終合流部Ｘ３は、右側株元搬送機構ＢＲの往路に位置する。初期合流部Ｘ１は、中央右株元搬送機構ＢＣＲと近接する位置に形成される。中間合流部Ｘ２は、中央左株元搬送機構ＢＣＬと近接する位置に形成される。最終合流部Ｘ３は、左側株元搬送機構ＢＬと近接する位置に形成される。
【００７４】
初期合流部Ｘ１は、中央右株元搬送機構ＢＣＲの往路における最終地点と対峙している。初期合流部Ｘ１においては、２条分の穀稈Ｃ１・Ｃ２の株元に三条目の穀稈Ｃ３が追加される。中間合流部Ｘ２は、中央左株元搬送機構ＢＣＬの往路における最終地点に対峙している。中間合流部Ｘ２は、初期合流部Ｘ１よりも下流に位置する。中間合流部Ｘ２においては、３条分の穀稈Ｃ１・Ｃ２・Ｃ３の株元に四条目及び五条目の穀稈Ｃ４・Ｃ５が追加される。最終合流部Ｘ３は、左側株元搬送機構ＢＬの往路における最終地点に対峙している。最終合流部Ｘ３は、中間合流部Ｘ２よりも下流に位置する。最終合流部Ｘ３においては、５条分の穀稈Ｃ１〜Ｃ５の株元に六条目及び七条目の穀稈Ｃ６・Ｃ７が追加される。
【００７５】
右側株元搬送機構ＢＲは、第一掻込機構Ｒｋ１によって掻き込まれた２条分の穀稈Ｃ１・Ｃ２の株元に、中央右株元搬送機構ＢＣＲから搬送される穀稈Ｃ３の株元、中央左株元搬送機構ＢＣＬから搬送される穀稈Ｃ４・Ｃ５の株元、及び、左側株元搬送機構ＢＬから搬送される穀稈Ｃ６・Ｃ７の株元を合流させて、７条分の穀稈Ｃ１〜Ｃ７の株元を縦搬送装置Ｖまで把持しながら後上方に搬送する。右側株元搬送機構ＢＲは、第一掻込機構Ｒｋ１及び第二掻込機構Ｒｋ２よりも上方に配置されている。右側株元搬送機構ＢＲの搬送始端部は右掻込輪ＳＴ１の上方に位置し、搬送終端部は搬送始端部よりも左斜後方に位置する。右側株元搬送機構ＢＲは、右側株元搬送機構ＢＲの前端が後端よりも下方に位置するように後傾している。
【００７６】
右側株元搬送機構ＢＲは、搬送チェンＨ１と、回転軸Ｇ１に固定された従動スプロケットＳｎ１と、駆動スプロケットＳｖ１と、この駆動スプロケットＳｖ１の左右に設けられた遊動プーリＲ１ａ・Ｒ１ｂと、駆動スプロケットＳｖ１の右前方に設けられたテンションプーリＰＴ１とを有する。搬送チェンＨ１は、従動スプロケットＳｎ１、駆動スプロケットＳｖ１、遊動プーリＲ１ａ・Ｒ１ｂ及びテンションプーリＰＴ１に巻き掛けられる。このようにして、右側株元搬送機構ＢＲは、第一掻込機構Ｒｋ１の右側掻込機構に連結されている。
【００７７】
中央右株元搬送機構ＢＣＲは、第二掻込機構Ｒｋ２で掻き込んだ１条分の穀稈Ｃ３の株元を初期合流部Ｘ１まで把持しながら後上方に搬送する。中央右株元搬送機構ＢＣＲは、第二掻込機構Ｒｋ２よりも上方であって右側株元搬送機構ＢＲの左前方に配置されている。中央右株元搬送機構ＢＣＲの搬送始端部は掻込輪ＳＴ３の上方に位置し、搬送終端部は搬送始端部よりも後方に位置する。中央右株元搬送機構ＢＣＲは、中央右株元搬送機構ＢＣＲの前端が後端よりも下方に位置するように後傾している。
【００７８】
中央右株元搬送機構ＢＣＲは、搬送チェンＨ２と、回転軸Ｇ３に固定された従動スプロケットＳｎ２と、駆動スプロケットＳｖ２と、二つの遊動プーリＲ２ａ・Ｒ２ｂと、テンションプーリＰＴ２とを有する。搬送チェンＨ２は、従動スプロケットＳｎ２、駆動スプロケットＳｖ２、遊動プーリＲ２ａ・Ｒ２ｂ及びテンションプーリＰＴ２に巻き掛けられる。このようにして、中央右株元搬送機構ＢＣＲは、第二掻込機構Ｒｋ２に連結されている。
【００７９】
中央左株元搬送機構ＢＣＬは、第三掻込機構Ｒｋ３によって掻き込まれた２条分の穀稈Ｃ４・Ｃ５の株元を中間合流部Ｘ２まで把持しながら後上方に搬送する。中央左株元搬送機構ＢＣＬは、第三掻込機構Ｒｋ３よりも上方であって左側株元搬送機構ＢＬの右前方に配置されている。中央左株元搬送機構ＢＣＬの搬送始端部は左掻込輪ＳＴ５の上方に位置し、搬送終端部は搬送始端部よりも右後方に位置する。中央左株元搬送機構ＢＣＬは、中央左株元搬送機構ＢＣＬの前端が後端よりも下方に位置するように後傾している。
【００８０】
中央左株元搬送機構ＢＣＬは、搬送チェンＨ３と、回転軸Ｇ５に固定された従動スプロケットＳｎ３と、駆動スプロケットＳｖ３と、この駆動スプロケットＳｖ３の右方に設けられた遊動プーリＲ３と、駆動スプロケットＳｖ３の前方に設けられたテンションプーリＰＴ３とを有する。搬送チェンＨ３は、従動スプロケットＳｎ３、駆動スプロケットＳｖ３、遊動プーリＲ３及びテンションプーリＰＴ３に巻き掛けられる。このようにして、中央左株元搬送機構ＢＣＬは、第三掻込機構Ｒｋ３の左側掻込機構に連結されている。
【００８１】
左側株元搬送機構ＢＬは、第四掻込機構Ｒｋ４で掻き込んだ２条分の穀稈Ｃ６・Ｃ７の株元を最終合流部Ｘ３まで把持しながら後上方に搬送する。左側株元搬送機構ＢＬの搬送始端部は左掻込輪ＳＴ７の上方に位置し、搬送終端部は搬送始端部よりも右後方に位置する。左側株元搬送機構ＢＬは、左側株元搬送機構ＢＬの前端が後端よりも下方に位置するように後傾している。
【００８２】
左側株元搬送機構ＢＬは、搬送チェンＨ４と、回転軸Ｇ７に固定された従動スプロケットＳｎ４と、駆動スプロケットＳｖ４と、この駆動スプロケットＳｖ４の右後方に設けられた二つの遊動プーリＲ４ａ・Ｒ４ｂと、駆動スプロケットＳｖ４の前方に設けられたテンションプーリＰＴ４とを有する。搬送チェンＨ４は、従動スプロケットＳｎ４、駆動スプロケットＳｖ４、遊動プーリＲ４ａ・Ｒ４ｂ及びテンションプーリＰＴ４に巻き掛けられる。このようにして、左側株元搬送機構ＢＬは、第四掻込機構Ｒｋ４の左側掻込機構に連結されている。
【００８３】
中央左株元搬送機構ＢＣＬは、平面視（図４）において縦伝動ケース１２よりも左方に配置される。左側株元搬送機構ＢＬは、平面視において中央左株元搬送機構ＢＣＬよりも左方に配置される。中央右株元搬送機構ＢＣＲは、平面視において縦伝動ケース１２の右方に配置される。右側株元搬送機構ＢＲは、平面視において中央右株元搬送機構ＢＣＲよりも右方に配置される。
【００８４】
右側株元搬送機構ＢＲは、先ず、２条分（一条目及び二条目）の穀稈Ｃ１・Ｃ２を搬送し、初期合流部Ｘ１において１条分の穀稈Ｃ３を追加して中間合流部Ｘ２へ搬送する。また、右側株元搬送機構ＢＲは、中間合流部Ｘ２において、３条分の穀稈Ｃ１・Ｃ２・Ｃ３に、２条分の穀稈Ｃ４・Ｃ５を追加して最終合流部Ｘ３へ搬送する。そして、右側株元搬送機構ＢＲは、最終合流部Ｘ３において、５条分の穀稈Ｃ１〜Ｃ５に、２条分の穀稈Ｃ６・Ｃ７を追加する。そして、最終合流部Ｘ３を通過した７条分の穀稈Ｃ１〜Ｃ７は、縦搬送装置Ｖ（図３参照）を介してフィードチェン５に搬送される。
【００８５】
縦搬送装置Ｖは、右側株元搬送機構ＢＲの搬送経路における終端部から受け継いだ７条分の穀稈の株元を補助搬送装置Ｓまで把持しながら後上方に搬送する。図３に示すように、縦搬送装置Ｖは、下部搬送機構Ｂ１よりも後方に位置し、縦搬送装置Ｖの前端が後端よりも下方に位置するように後傾している。また、縦搬送装置Ｖの前端部は下部搬送機構Ｂ１の搬送経路における終端部付近に位置し、後端部は前端部よりも左斜後方且つフィードチェン５よりも前方に位置する。
【００８６】
補助搬送装置Ｓは、縦搬送装置Ｖの搬送経路における終端部から受け継いだ７条分の穀稈の株元を脱穀部４まで搬送する。補助搬送装置Ｓは、縦搬送装置Ｖの後上方に配置されている。補助搬送装置Ｓの前端部は縦搬送装置Ｖの搬送経路における終端部付近に位置し、後端部は前端部よりも後上方に位置する。
【００８７】
上部搬送装置Ｕは、下部搬送装置Ｂ１が搬送する穀稈の穂先を搬送する。上部搬送装置Ｕは、下部搬送装置Ｂ１よりも後上方且つ縦搬送装置Ｖよりも上方に位置し、上部搬送装置Ｕの前端が後端よりも下方に位置するように後傾している。上部搬送装置Ｕは、左側２条分の穀稈Ｃ６・Ｃ７の穂先を搬送する左穂先搬送機構ＵＬ（図５参照）と、右側２条分の穀稈Ｃ１・Ｃ２の穂先を搬送する右穂先搬送機構ＵＲと、中央３条分の穀稈Ｃ３・Ｃ４・Ｃ５の穂先を搬送する中央穂先搬送機構ＵＣ（図５参照）とを含む。
【００８８】
穂先搬送装置Ｔは、右側株元搬送機構ＢＲ、縦搬送装置Ｖ及び補助搬送装置Ｓで搬送される７条分の穀稈の穂先を搬送する。穂先搬送装置Ｔは、上部搬送装置Ｕの後上方に配置されている。穂先搬送装置Ｔの前端部は上部搬送装置Ｕの搬送経路における中途部に位置し、後端部は前端部よりも後上方に位置する。
【００８９】
次に、エンジン９が出力する動力を刈取部３において伝達する構成について、図３、図５及び図６を用いて説明する。
図６は、中央掻込機構Ｒｃ１と上部横伝動ケース２０とを連結する構成を示す刈取部３の平面図である。
【００９０】
刈取フレーム１０を構成する各パイプ等には、刈取部３のうちの駆動機能を有する構成に動力を伝達する軸が収容されている。刈取入力ケース１１には、刈取入力軸４１が収容される。刈取入力軸４１の軸心方向は、左右方向に略平行である。
【００９１】
刈取入力軸４１の左端部には、エンジン９の動力が入力される入力プーリ４０が固定され、刈取入力軸４１の中途部には、縦伝動軸４２と上部縦伝動軸４９とが連結される。
【００９２】
縦伝動軸４２は、縦伝動ケース１２に収容される。縦伝動軸４２の軸心は、前後方向を向いている。縦伝動軸４２の後端が、ベベルギヤを介して刈取入力軸４１に連結される。縦伝動軸４２の前端は、ベベルギヤを介して横伝動軸４３の中間部に連結される。横伝動軸４３は、横伝動ケース１３に収容される。横伝動軸４３の軸心方向は、左右方向に略平行である。
【００９３】
縦伝動軸４２の中途部から取り出された動力は、右側株元搬送機構ＢＲの駆動スプロケットＳｖ１に伝達される。駆動スプロケットＳｖ１の回転によって、駆動スプロケットＳｖ１と従動スプロケットＳｎ１との間において右側株元搬送機構ＢＲの搬送チェンＨ１が駆動する。そして、従動スプロケットＳｎ１が固定された回転軸Ｇ１を中心にして右掻込輪ＳＴ１が回転を開始する。これにより、第一掻込機構Ｒｋ１の右側掻込機構が駆動して左側掻込機構が従動する。
【００９４】
横伝動軸４３の左端から取り出された動力は、左側株元搬送機構ＢＬの駆動スプロケットＳｖ４に伝達される。駆動スプロケットＳｖ４の回転によって、駆動スプロケットＳｖ４と従動スプロケットＳｎ４との間において左側株元搬送機構ＢＬの搬送チェンＨ４が駆動する。そして、従動スプロケットＳｎ４が固定された回転軸Ｇ７を中心にして左掻込輪ＳＴ７が回転を開始する。これにより、第四掻込機構Ｒｋ４の左側掻込機構が駆動して右側掻込機構が従動する。
【００９５】
また、横伝動軸４３の左端から取り出された動力は、左穂先搬送機構ＵＬに伝達される。右穂先搬送機構ＵＲと縦搬送装置Ｖとには、縦伝動軸４２の中途部から取り出された動力が伝達される。補助搬送装置Ｓと穂先搬送装置Ｔとには、刈取入力軸４１の中途部から取り出された動力が伝達される。
【００９６】
中央穂先搬送機構ＵＣは、中央左株元搬送機構ＢＣＬの駆動を受ける駆動スプロケットＳｖｃを有する。中央穂先搬送機構ＵＣには、中央株元搬送機構Ｂｃ１のうちの中央左株元搬送機構ＢＣＬから、駆動スプロケットＳｖｃを介して動力が伝達される。
【００９７】
また、横伝動軸４３の左端には、引起縦伝動軸４６がベベルギヤを介して連結されている。引起縦伝動軸４６は、引起縦伝動ケース１６に収容されている。引起縦伝動軸４６の上端には、ベベルギヤを介して引起横伝動軸４７が連結されている。引起横伝動軸４７は、引起横伝動ケース１７に収容されている。
【００９８】
引起横伝動軸４７には、ベベルギヤを介して複数の引起駆動軸５９が連結されている。各引起駆動軸５９には、ベベルギヤを介して引起タイン駆動軸５７が連結されている。引起タイン駆動軸５７は、引起駆動ケース１８に挿入されている。引起タイン駆動軸５７の下端は、引起駆動ケース１８の下端部から突出している。
【００９９】
各引起タイン駆動軸５７の下端部には、引起ケース６１の引起タインＳ１，・・・，Ｓ７の駆動に用いられる駆動スプロケット５８が固定されている。各駆動スプロケット５８は、各タイン付チェン６２の上部を巻回することによって支持する。タイン付チェン６２には、それぞれ、引起タインＳ１，・・・，Ｓ７が取り付けられている。
【０１００】
横伝動軸４３から引起縦伝動軸４６、引起横伝動軸４７、引起駆動軸５９及び引起タイン駆動軸５７を介して、各引起ケース６１の駆動スプロケット５８に動力が伝達される。引起縦伝動軸４６の中途部には、引起変速機構６０が組み込まれている。各引起ケース６１の引起タインＳ１，・・・，Ｓ７の駆動速度は、引起変速機構６０によって切り替えられる。また、横伝動軸４３から取り出された動力は、刈刃３３に伝達される。
【０１０１】
刈取入力軸４１には、上部縦伝動軸４９の後端がベベルギヤを介して連結されている。上部縦伝動軸４９は、前後方向を向く軸心を有する。上部縦伝動軸４９は、上部センターケース１９に収容される。上部縦伝動軸４９の前端は、ベベルギヤを介して上部横伝動軸５０の中間部に連結される。上部横伝動軸５０の軸心方向は、左右方向に略平行である。上部横伝動ケース２０は、上部横伝動軸５０を収容する。
【０１０２】
上部横伝動軸５０には、それぞれベベルギヤを介して左側中搬送伝動軸５３Ｌの上端と右側中搬送伝動軸５３Ｒの上端とが連結されている。
【０１０３】
図６に示すように、左側中搬送ケース２３Ｌの上端は、三口継手５１を介して上部横伝動ケース２０に連結される。右側中搬送ケース２３Ｒの上端は、三口継手５２を介して上部横伝動ケース２０に連結される。三口継手５１の内周及び三口継手５２の内周は、上部横伝動ケース２０の外周を覆う大きさを有する。上部横伝動ケース２０は、三口継手５１と三口継手５２とを貫通している。三口継手５１及び三口継手５２は、上部横伝動ケース２０に支持されている。三口継手５１及び三口継手５２は、上部横伝動ケース２０に対して回転自在である。つまり、左側中搬送ケース２３Ｌと右側中搬送ケース２３Ｒとは、上部横伝動ケース２０に回転自在に連結されている。
【０１０４】
図５に示すように、左側中搬送伝動軸５３Ｌは、中央株元搬送機構Ｂｃ１のうちの中央左株元搬送機構ＢＣＬに動力を伝達する。左側中搬送伝動軸５３Ｌの下端部には、中央左株元搬送機構ＢＣＬの駆動スプロケットＳｖ３が連結されている。右側中搬送伝動軸５３Ｒは、中央株元搬送機構Ｂｃ１のうちの中央右株元搬送機構ＢＣＲに動力を伝達する。右側中搬送伝動軸５３Ｒの下端部には、中央右株元搬送機構ＢＣＲの駆動スプロケットＳｖ２が連結されている。
【０１０５】
図６に示すように、左側中搬送伝動軸５３Ｌは、左側中搬送ケース２３Ｌに収容されている。左側中搬送ケース２３Ｌは、上部横伝動ケース２０と中央左株元搬送機構ＢＣＬとを連結する。左側中搬送ケース２３Ｌの上端部が上部横伝動ケース２０に連結され、下端部が筐体６３に接続されている。筐体６３は、軸６４を支持する。この軸６４には、中央左株元搬送機構ＢＣＬの駆動スプロケットＳｖ３が軸６４回りに回転可能に固定されている。
【０１０６】
右側中搬送伝動軸５３Ｒは、右側中搬送ケース２３Ｒに収容されている。右側中搬送ケース２３Ｒは、上部横伝動ケース２０と中央右株元搬送機構ＢＣＲとを連結する。右側中搬送ケース２３Ｒの上端部が上部横伝動ケース２０に連結され、下端部が筐体６５に接続されている。筐体６５は、軸６６を支持する。この軸６６には、中央右株元搬送機構ＢＣＲの駆動スプロケットＳｖ２が軸６６回りに回転可能に固定されている。
【０１０７】
ここで、上部横伝動ケース２０に対して三口継手５１及び三口継手５２を回転自在に支持する構成について、図７を用いて説明する。
図７は、図６に示すＶＩＩ−ＶＩＩ線の断面拡大端面図である。図７（Ａ）は、上部横伝動ケース２０に対して三口継手５１が回転していない状態を示している。図７（Ｂ）は、上部横伝動ケース２０に対して三口継手５１が回転した状態を示している。
【０１０８】
上部横伝動ケース２０と三口継手５１との間において、上部横伝動ケース２０の外周壁には、転がり軸受２８の内輪が相対回転不能に嵌めこまれている。転がり軸受２８の外輪には、三口継手５１が相対回転不能に嵌め合わされている。このようにして、三口継手５１は、上部横伝動ケース２０に対して回転自在に支持されている。
【０１０９】
上部横伝動ケース２０の内周壁には、転がり軸受２９の外輪が相対回転不能に嵌め合わされている。転がり軸受２９の内輪には、上部横伝動軸５０が相対回転不能に嵌め込まれている。このようにして、上部横伝動軸５０は、上部横伝動ケース２０の内部の空間において回転自在に支持されている。
【０１１０】
上部横伝動ケース２０には、下方を向いた開口２０ａが形成されている。開口２０ａは、後述するように、左側中搬送伝動軸５３Ｌが上部横伝動ケース２０及び上部横伝動軸５０回りに回転する範囲の大きさを有する。左側中搬送伝動軸５３Ｌは、開口２０ａを通って上部横伝動５０に連動自在に連結されている。上部横伝動軸５０の周面に固定されたベベルギヤ３７と、左側中搬送伝動軸５３Ｌの上端部に固定されたベベルギヤ３８とが噛み合っている。
【０１１１】
左側中搬送ケース２３Ｌは、三口継手５１の下側開口５０ａの縁に固定されている。上部横伝動ケース２０の開口２０ａを通る左側中搬送伝動軸５３Ｌは、左側中搬送ケース２３Ｌに収容されている。左側中搬送伝動軸５３Ｌは、図示しない転がり軸受を介して左側中搬送ケース２３Ｌに回転自在に支持されている。
【０１１２】
なお、三口継手５１の別の２つの開口を通って、上部横伝動ケース２０が三口継手５１を貫通している。
【０１１３】
一方、上部横伝動ケース２０に対して三口継手５２を回転自在に支持する構成については、図７に示す構成と同様であるとして、説明を省略する。
【０１１４】
図６に示すように、右側中搬送ケース２３Ｒには、右側第一フレーム７２と右側第二フレーム７３とが固定されている。右側第一フレーム７２の一端は、右側中搬送ケース２３Ｒに固定され、他端は外形フレームＦ２に固定されている。外形フレームＦ２は、第一掻込機構Ｒｋ１の左側掻込機構の回転軸Ｇ２を回転可能に支持する。ロッド状の右側第一フレーム７２によって、第一掻込機構Ｒｋ１の左側掻込機構と右側中搬送ケース２３Ｒとが連結される。
【０１１５】
右側第二フレーム７３の一端は、右側中搬送ケース２３Ｒに固定され、他端は外形フレームＦ３に固定されている。外形フレームＦ３は、第二掻込機構Ｒｋ２の回転軸Ｇ３を回転可能に支持する。ロッド状の右側第二フレーム７３によって、第二掻込機構Ｒｋ２と右側中搬送ケース２３Ｒとが連結される。このように、右側中搬送ケース２３Ｒは、中央掻込機構Ｒｃ１としての第一掻込機構Ｒｋ１の左側掻込機構及び第二掻込機構Ｒｋ２と、上部横伝動ケース２０とを連結している。
【０１１６】
左側中搬送ケース２３Ｌには、左側第一フレーム７４と左側第二フレーム７５と左側第三フレーム７６とが固定されている。左側第一フレーム７４の一端は、左側中搬送ケース２３Ｌに固定され、他端は外形フレームＦ４に固定されている。外形フレームＦ４は、第三掻込機構Ｒｋ３の回転軸Ｇ４を回転可能に支持する。ロッド状の左側第一フレーム７４によって、第三掻込機構Ｒｋ３の右側掻込機構と左側中搬送ケース２３Ｌとが連結される。
【０１１７】
左側第二フレーム７５の一端は、左側中搬送ケース２３Ｌに固定され、他端は外形フレームＦ５に固定されている。外形フレームＦ５は、第三掻込機構Ｒｋ３の回転軸Ｇ５を回転可能に支持する。ロッド状の左側第二フレーム７５によって、第三掻込機構Ｒｋ３の左側掻込機構と左側中搬送ケース２３Ｌとが連結される。
【０１１８】
左側第三フレーム７６の一端は、左側中搬送ケース２３Ｌに固定され、他端は外形フレームＦ６に固定されている。外形フレームＦ６は、第四掻込機構Ｒｋ４の回転軸Ｇ６を回転可能に支持する。ロッド状の左側第三フレーム７６によって、第四掻込機構Ｒｋ４の右側掻込機構と左側中搬送ケース２３Ｌとが連結される。このように、左側中搬送ケース２３Ｌは、中央掻込機構Ｒｃ１としての第四掻込機構Ｒｋ４の右側掻込機構及び第三掻込機構Ｒｋ３と、上部横伝動ケース２０とを連結している。
【０１１９】
一方、右外側フレーム７１を介して、外形フレームＦ１が刈取フレーム１０に下方から支持されている。外形フレームＦ１は、第一掻込機構Ｒｋ１の回転軸Ｇ１を回転可能に支持する。左外側フレーム７７を介して、外形フレームＦ７が刈取フレーム１０に下方から支持されている。外形フレームＦ７は、第四掻込機構Ｒｋ４の回転軸Ｇ７を回転可能に支持する。
【０１２０】
右側中搬送伝動軸５３Ｒから取り出される動力は、中央右株元搬送機構ＢＣＲの駆動スプロケットＳｖ２に伝達される。駆動スプロケットＳｖ２の回転によって、駆動スプロケットＳｖ２と従動スプロケットＳｎ２との間において中央右株元搬送機構ＢＣＲの搬送チェンＨ２が駆動する。そして、従動スプロケットＳｎ２が固定された回転軸Ｇ３を中心にして掻込輪ＳＴ３が回転を開始する。これにより、第二掻込機構Ｒｋ２が駆動する。
【０１２１】
左側中搬送伝動軸５３Ｌから取り出される動力は、中央左株元搬送機構ＢＣＬの駆動スプロケットＳｖ３に伝達される。駆動スプロケットＳｖ３の回転によって、駆動スプロケットＳｖ３と従動スプロケットＳｎ３との間において中央左株元搬送機構ＢＣＬの搬送チェンＨ３が駆動する。そして、従動スプロケットＳｎ３が固定された回転軸Ｇ５を中心にして左掻込輪ＳＴ５が回転を開始する。これにより、第三掻込機構Ｒｋ３の左側掻込機構が駆動する。第三掻込機構Ｒｋ３の左側掻込機構の駆動及び第二掻込機構Ｒｋ２の駆動によって、右側掻込機構が従動する。
【０１２２】
掻込装置３４によって後方に掻き込まれる穀稈Ｃ１〜Ｃ７は、刈刃３３によって切断される。切断後の穀稈Ｃ１・Ｃ２、穀稈Ｃ３、穀稈Ｃ４・Ｃ５、及び、穀稈Ｃ６・Ｃ７が、搬送装置３５において互いに合流しつつ脱穀部４に向かって搬送される。搬送装置３５においては、穀稈Ｃ１〜Ｃ７の株元が下部搬送装置Ｂ１、縦搬送装置Ｖ及び補助搬送装置Ｓによって搬送され、穂先が上部搬送装置Ｕ及び穂先搬送装置Ｔによって搬送される。
【０１２３】
次に、引起装置３１の回転と、中央株元搬送機構Ｂｃ１及び中央掻込機構Ｒｃ１の回転とについて、図８及び図９を用いて説明する。
図８は、引起装置３１の回転と中央掻込機構Ｒｃ１の回転とを示す刈取部３の側面図である。
図９は、中央掻込機構Ｒｃ１の回転と中央株元搬送機構Ｂｃ１の回転とを示す刈取部３の平面図である。図９（Ａ）は、中央掻込機構Ｒｃ１と中央株元搬送機構Ｂｃ１とが回転していない状態を示している。図９（Ｂ）は、中央掻込機構Ｒｃ１と中央株元搬送機構Ｂｃ１とが回転した状態を示している。
【０１２４】
図８に示すように、コンバイン１は、引起装置３１が回転可能に構成されている。引起横伝動ケース１７を中心にして、引起駆動ケース１８及び引起ケース６１が上方に向かって回転する。
【０１２５】
引起駆動ケース１８及び引起ケース６１の回転については、７条分すべてが回転する構成であってもよく、左端の引起駆動ケース１８及び引起ケース６１と、右端の引起駆動ケース１８及び引起ケース６１とを除く５条分が回転する構成であってもよい。
【０１２６】
或いは、引起装置３１において左端部又は右端部の何れかに設けられた上下方向を向いた軸を中心にして、引起駆動ケース１８及び引起ケース６１が回転する構成でもよい。又は、引起装置３１には、引起タインＳ１と引起タインＳ７との間の何れかの位置において観音開きの構成が設けられていてもよい。
【０１２７】
また、コンバイン１は、左側株元搬送機構ＢＬ及び右側株元搬送機構ＢＲに対して中央掻込機構Ｒｃ１が移動可能に構成されている。上述のように、中央掻込機構Ｒｃ１は、第一掻込機構Ｒｋ１の左側掻込機構、第二掻込機構Ｒｋ２、第三掻込機構Ｒｋ３、及び、第四掻込機構Ｒｋ４の右側掻込機構を含む。図９（Ａ），（Ｂ）に示すように、中央掻込機構Ｒｃ１は、左側株元搬送機構ＢＬと右側株元搬送機構ＢＲとの間に位置する。
【０１２８】
図６に示すように、第一掻込機構Ｒｋ１の左側掻込機構と第二掻込機構Ｒｋ２とは、右側中搬送ケース２３Ｒに連結されている。右側中搬送ケース２３Ｒは、上部横伝動ケース２０に回転自在に連結されている。そのため、第一掻込機構Ｒｋ１の左側掻込機構と第二掻込機構Ｒｋ２とは、上部横伝動ケース２０回りに前方に回転できる。このとき、右側中搬送伝動軸５３Ｒが上部横伝動軸５０の軸心を中心にして右側中搬送ケース２３Ｒとともに前方に回転する。これにより、第一掻込機構Ｒｋ１の左側掻込機構と第二掻込機構Ｒｋ２とは、左側株元搬送機構ＢＬ及び右側株元搬送機構ＢＲに対して移動できる（図９（Ｂ）参照）。
【０１２９】
第四掻込機構Ｒｋ４の右側掻込機構と第三掻込機構Ｒｋ３とは、左側中搬送ケース２３Ｌに連結されている。左側中搬送ケース２３Ｌは、上部横伝動ケース２０に回転自在に連結されている。そのため、第四掻込機構Ｒｋ４の右側掻込機構と第三掻込機構Ｒｋ３とは、上部横伝動ケース２０回りに前方に回転できる。このとき、左側中搬送伝動軸５３Ｌが上部横伝動軸５０の軸心を中心にして左側中搬送ケース２３Ｌとともに前方に回転する。これにより、第四掻込機構Ｒｋ４の右側掻込機構と第三掻込機構Ｒｋ３とは、左側株元搬送機構ＢＬ及び右側株元搬送機構ＢＲに対して移動できる（図９（Ｂ）参照）。
【０１３０】
左側中搬送ケース２３Ｌ、右側中搬送ケース２３Ｒ、及び、中央掻込機構Ｒｃ１を移動させる動力としては、電動モータ、エンジン９等の動力を用いることができる。左側中搬送ケース２３Ｌと右側中搬送ケース２３Ｒとを除く刈取フレーム１０の別の部分と、左側中搬送ケース２３Ｌとの間に、油圧シリンダ（図示せず）を連結する。また、左側中搬送ケース２３Ｌと右側中搬送ケース２３Ｒとを除く刈取フレーム１０の別の部分と、右側中搬送ケース２３Ｒとの間に、別の油圧シリンダ（図示せず）を連結する。
【０１３１】
コンバイン１は、これらの油圧シリンダの他に、エンジン１２の動力又は電動モータによって作動する油圧ポンプを備える（図示せず）。また、これらの油圧ポンプは、流路切替弁を含む油圧回路に接続されている（図示せず）。流路切替弁の開度に応じて、作動油の流路が変換される。油圧ポンプと流路切替弁との作動によって油圧シリンダが伸長又は短縮することにより、左側中搬送ケース２３Ｌと右側中搬送ケース２３Ｒとが上部横伝動ケース２０回りに回転する。
【０１３２】
或いは、コンバイン１は、上部横伝動ケース２０、左側中搬送ケース２３Ｌ及び右側中搬送ケース２３Ｒが、上部センターケース１９に対して一体となって回転するように、構成されていてもよい。
【０１３３】
このように、コンバイン１は、左側中搬送ケース２３Ｌ、右側中搬送ケース２３Ｒ、及び、中央掻込機構Ｒｃ１が回転可能に構成されている。また、中央株元搬送機構Ｂｃ１としての中央右株元搬送機構ＢＣＲ及び中央左株元搬送機構ＢＣＬは、中央掻込機構Ｒｃ１に連結されている。具体的には、中央右株元搬送機構ＢＣＲは、第二掻込機構Ｒｋ２に連結されている。中央左株元搬送機構ＢＣＬは、第三掻込機構Ｒｋ３の左側掻込機構に連結されている。そのため、中央株元搬送機構Ｂｃ１は、中央掻込機構Ｒｃ１とともに上部横伝動ケース２０回りに回転することによって、左側株元搬送機構ＢＬ及び右側株元搬送機構ＢＲに対して移動できる（図９（Ｂ）参照）。
【０１３４】
このように、左側株元搬送機構ＢＬ及び右側株元搬送機構ＢＲに対して中央掻込機構Ｒｃ１が移動することによって、左側株元搬送機構ＢＬと中央掻込機構Ｒｃ１との間隔、及び、右側株元搬送機構ＢＲと中央掻込機構Ｒｃ１との間隔を広げることができる。そのため、左側株元搬送機構ＢＬ及び右側株元搬送機構ＢＲと中央掻込機構Ｒｃ１との間に詰まった穀稈を容易に取り除くことができる。
【０１３５】
更に、左側株元搬送機構ＢＬ及び右側株元搬送機構ＢＲに対して中央株元搬送機構Ｂｃ１が移動することによって、左側株元搬送機構ＢＬと中央株元搬送機構Ｂｃ１との間隔、及び、右側株元搬送機構ＢＲと中央株元搬送機構Ｂｃ１との間隔を広げることができる。そのため、右側株元搬送機構ＢＲの往路において中央右株元搬送機構ＢＣＲと近接する位置に形成される初期合流部Ｘ１に詰まった穀稈と、右側株元搬送機構ＢＲの往路において中央左株元搬送機構ＢＣＬと近接する位置に形成される中間合流部Ｘ２に詰まった穀稈と、右側株元搬送機構ＢＲの往路において左側株元搬送機構ＢＬと近接する位置に形成される最終合流部Ｘ３に詰まった穀稈とを、容易に取り除くことができる。
【０１３６】
なお、コンバイン１の刈取部３は、引起装置３１の回転に伴って中央掻込機構Ｒｃ１が回転するように構成されていてもよい。つまり、中央掻込機構Ｒｃ１は、引起装置３１の回転に連動するように構成されていてもよい。
【０１３７】
上部横伝動ケース２０が引起縦伝動ケース１６及び縦連結フレームに対して回転することによって、左側中搬送ケース２３Ｌ、右側中搬送ケース２３Ｒ、及び、中央掻込機構Ｒｃ１が左側株元搬送機構ＢＬ及び右側株元搬送機構ＢＲに対して移動するように刈取部３が構成されていてもよい。
【０１３８】
（第２実施形態）
次に、六条刈用の構成を有する刈取部３ａを備えた、本発明の第２実施形態としてのコンバインについて、図１０〜図１２を用いて説明する。なお、以下において、第１実施形態のコンバイン１の構成と同一の構成については、同符号を付し、説明を省略する。
図１０は、第２実施形態のコンバインの刈取部３ａの構成であって、動力を伝達する機構を示すブロック図である。
図１１は、中央掻込機構Ｒｃ２と上部横伝動ケース２０とを連結する構成を示す第２実施形態のコンバインの刈取部３ａの平面図である。
図１２は、中央掻込機構Ｒｃ２の回転と中央株元搬送機構Ｂｃ２の回転とを示す第２実施形態のコンバインの刈取部３ａの平面図である。図１２（Ａ）は、中央掻込機構Ｒｃ２と中央株元搬送機構Ｂｃ２とが回転していない状態を示している。図１２（Ｂ）は、中央掻込機構Ｒｃ２と中央株元搬送機構Ｂｃ２とが回転した状態を示している。
【０１３９】
図１０に示すように、２実施形態のコンバインの刈取部３ａは、掻込装置３４ａを備える。掻込装置３４ａは、第一掻込機構Ｒｋ５、第二掻込機構Ｒｋ６、及び、第三掻込機構Ｒｋ７を備える。また、引起装置３１は、引起ケース６１を６条分６つ有する。引起装置３１は、１条毎の未刈穀稈を起立させる引起タインＳ１・Ｓ２・Ｓ３・Ｓ４・Ｓ５・Ｓ６を備える。
【０１４０】
第一掻込機構Ｒｋ５は、掻込装置３４ａのうちの最も右側に配置される掻込機構である。第一掻込機構Ｒｋ５は、６条分の穀稈のうち右側２条分の穀稈（右側から数えて一条目と二条目の穀稈）の株元を掻き込む。第一掻込機構Ｒｋ５は、それぞれ星形状を有する左右一対の掻込輪ＳＴ８・ＳＴ９と、それぞれ突起が付いた左右一対の掻込ベルトＢＬ８・ＢＬ９とを備える。
【０１４１】
第一掻込機構Ｒｋ５は、右側掻込機構と左側掻込機構とを有する。第一掻込機構Ｒｋ５の左側掻込機構は、中央掻込機構Ｒｃ２に含まれる。右側掻込機構は、右掻込輪ＳＴ８、右掻込ベルトＢＬ８、大径プーリＰｌ８、小径プーリＰｓ８、及び、回転軸Ｇ８（図１１参照）を含む。左側掻込機構は、左掻込輪ＳＴ９、左掻込ベルトＢＬ９、大径プーリＰｌ９、小径プーリＰｓ９、及び、回転軸Ｇ９（図１１参照）を含む。
【０１４２】
第二掻込機構Ｒｋ６は、掻込装置３４ａのうちの第一掻込機構Ｒｋ５の左隣に配置される掻込機構である。第二掻込機構Ｒｋ６は、６条分の穀稈のうちの中央２条分の穀稈（三条目と四条目の穀稈）の株元を掻き込む。第二掻込機構Ｒｋ６は、それぞれ星形状を有する左右一対の掻込輪ＳＴａ・ＳＴｂと、それぞれ突起が付いた左右一対の掻込ベルトＢＬａ・ＢＬｂとを備える。
【０１４３】
第二掻込機構Ｒｋ６は、右側掻込機構と左側掻込機構とを有する。右側掻込機構は、右掻込輪ＳＴａ、右掻込ベルトＢＬａ、大径プーリＰｌａ、小径プーリＰｓａ、及び、回転軸Ｇａ（図１１参照）を含む。左側掻込機構は、左掻込輪ＳＴｂ、左掻込ベルトＢＬｂ、大径プーリＰｌｂ、小径プーリＰｓｂ、及び、回転軸Ｇｂ（図１１参照）を含む。
【０１４４】
第二掻込機構Ｒｋ６は、中央掻込機構Ｒｃ２に含まれる。
【０１４５】
第三掻込機構Ｒｋ７は、掻込装置３４ａのうち、第二掻込機構Ｒｋ６の左隣に、つまり、最も左側に配置される掻込機構である。第三掻込機構Ｒｋ７は、６条分の穀稈のうち左側２条分の穀稈（五条目と六条目の穀稈）の株元を掻き込む。第三掻込機構Ｒｋ７は、それぞれ星形状を有する左右一対の掻込輪ＳＴｃ・ＳＴｄと、それぞれ突起が付いた左右一対の掻込ベルトＢＬｃ・ＢＬｄとを備える。
【０１４６】
第三掻込機構Ｒｋ７は、右側掻込機構と左側掻込機構とを有する。第三掻込機構Ｒｋ７の右側掻込機構は、中央掻込機構Ｒｃ２に含まれる。右側掻込機構は、右掻込輪ＳＴｃ、右掻込ベルトＢＬｃ、大径プーリＰｌｃ、小径プーリＰｓｃ、及び、回転軸Ｇｃを含む（図１１参照）。左側掻込機構は、左掻込輪ＳＴｄ、左掻込ベルトＢＬｄ、大径プーリＰｌｄ、小径プーリＰｓｄ、及び、回転軸Ｇｄ（図１１参照）を含む。
【０１４７】
回転軸Ｇ８・Ｇ９・Ｇａ・Ｇｂ・Ｇｃ・Ｇｄのうちの回転軸Ｇ８・Ｇｂ・Ｇｄは、動力を受けて回転する。そのため、回転軸Ｇ８・Ｇｂ・Ｇｄに固定された掻込輪ＳＴ８・ＳＴｂ・ＳＴｄと掻込ベルトＢＬ８・ＢＬｂ・ＢＬｄとは、動力に応じて駆動する。一方、回転軸Ｇ９・Ｇａ・Ｇｃに固定された掻込輪ＳＴ９・ＳＴａ・ＳＴｃと掻込ベルトＢＬ９・ＢＬａ・ＢＬｃとは、掻込輪ＳＴ８・ＳＴｂ・ＳＴｄの回転を受けることによって回転する。
【０１４８】
従って、平面視において右掻込輪ＳＴ８が反時計回りに回転することによって、左掻込輪ＳＴ９が時計回りに回転する。また、平面視において左掻込輪ＳＴｂが時計回りに回転することによって、右掻込輪ＳＴａが反時計回りに回転する。更に、平面視において左掻込輪ＳＴｄが時計回りに回転することによって、右掻込輪ＳＴｃが反時計回りに回転する。このような掻込輪ＳＴ８・ＳＴ９・ＳＴａ・ＳＴｂ・ＳＴｃ・ＳＴｄの回転によって掻込ベルトＢＬ８・ＢＬ９・ＢＬａ・ＢＬｂ・ＢＬｃ・ＢＬｄが回転し、掻込装置３４ａが穀稈を後上方に掻き込む。
【０１４９】
刈取部３ａの搬送装置３５は、下部搬送装置Ｂ２を備える。
【０１５０】
図１２に示すように、下部搬送装置Ｂ２は、右側株元搬送機構ＢＲと、中央株元搬送機構Ｂｃ２と、左側株元搬送機構ＢＬとを備える。中央株元搬送機構Ｂｃ２は、左側株元搬送機構ＢＬと右側株元搬送機構ＢＲとの間に位置する。
【０１５１】
下部搬送装置Ｂ２には、中間合流部Ｘ４及び最終合流部Ｘ５が形成されている。中間合流部Ｘ４及び最終合流部Ｘ５は、右側株元搬送機構ＢＲの往路に位置する。中間合流部Ｘ４は、中央株元搬送機構Ｂｃ２と近接する位置に形成される。最終合流部Ｘ５は、左側株元搬送機構ＢＬと近接する位置に形成される。
【０１５２】
中間合流部Ｘ４は、中央株元搬送機構Ｂｃ２の往路における最終地点に対峙している。中間合流部Ｘ４は、右側株元搬送機構ＢＲの搬送始端部よりも下流に位置する。中間合流部Ｘ４においては、２条分の穀稈の株元に三条目及び四条目の穀稈が追加される。最終合流部Ｘ５は、左側株元搬送機構ＢＬの往路における最終地点に対峙している。最終合流部Ｘ５は、中間合流部よりも下流に位置する。最終合流部Ｘ５においては、４条分の穀稈の株元に五条目及び六条目の穀稈が追加される。
【０１５３】
右側株元搬送機構ＢＲは、第一掻込機構Ｒｋ５によって掻き込まれた右側２条分の穀稈の株元に、中央株元搬送機構Ｂｃ２から搬送される２条分の穀稈の株元、及び、左側株元搬送機構ＢＬから搬送される２条分の穀稈の株元を合流させて、６条分の穀稈の株元を縦搬送装置Ｖまで把持しながら後上方に搬送する。
【０１５４】
右側株元搬送機構ＢＲの従動スプロケットＳｎ１は、第一掻込機構Ｒｋ５の回転軸Ｇ８に固定されている（図１１参照）。このように、右側株元搬送機構ＢＲは、第一掻込機構Ｒｋ５の右側掻込機構に連結されている。
【０１５５】
中央株元搬送機構Ｂｃ２は、第二掻込機構Ｒｋ６によって掻き込まれた中央２条分の穀稈の株元を中間合流部Ｘ４まで把持しながら後上方に搬送する。中央株元搬送機構Ｂｃ２は、第二掻込機構Ｒｋ６の後方であって左側株元搬送機構ＢＬの右前方に配置されている。中央株元搬送機構Ｂｃ２の搬送始端部は左掻込輪ＳＴｂの上方に位置し、搬送終端部は搬送始端部よりも右後方に位置する。中央株元搬送機構Ｂｃ２は、中央株元搬送機構Ｂｃ２の前端が後端よりも下方に位置するように後傾している。
【０１５６】
中央株元搬送機構Ｂｃ２の従動スプロケットＳｎ３は、第二掻込機構Ｒｋ６の回転軸Ｇｂに固定されている（図１１参照）。このように、中央株元搬送機構Ｂｃ２は、第二掻込機構Ｒｋ６の左側掻込機構に連結されている。
【０１５７】
左側株元搬送機構ＢＬは、第三掻込機構Ｒｋ７で掻き込んだ左側２条分の穀稈の株元を最終合流部Ｘ５まで把持しながら後上方に搬送する。左側株元搬送機構ＢＬの搬送始端部は左掻込輪ＳＴｄの上方に位置し、搬送終端部は搬送始端部よりも右後方に位置する。左側株元搬送機構ＢＬは、左側株元搬送機構ＢＬの前端が後端よりも下方に位置するように後傾している。
【０１５８】
左側株元搬送機構ＢＬの従動スプロケットＳｎ４は、第三掻込機構Ｒｋ７の回転軸Ｇｄに固定されている（図１１参照）。このように、左側株元搬送機構ＢＬは、第三掻込機構Ｒｋ７の左側掻込機構に連結されている。
【０１５９】
右側株元搬送機構ＢＲは、先ず、２条分（一条目及び二条目）の穀稈を搬送し、中間合流部Ｘ４において、中央２条分の穀稈を追加して最終合流部へ搬送する。そして、右側株元搬送機構ＢＲは、最終合流部Ｘ５において、４条分の穀稈に、左側２条分の穀稈を追加する。そして、最終合流部Ｘ５を通過した６条分の穀稈は、縦搬送装置Ｖを介してフィードチェン５に搬送される。
【０１６０】
次に、動力を刈取部３ａにおいて伝達する構成について説明する。
【０１６１】
図１０に示すように、上部横伝動軸５０には、ベベルギヤを介して左側中搬送伝動軸５４Ｌの上端が連結されている。左側中搬送ケース２４Ｌの上端は、三口継手５１を介して上部横伝動ケース２０に連結される。右側中搬送ケース２４Ｒの上端は、三口継手５２を介して上部横伝動ケース２０に連結される。三口継手５１及び三口継手５２は、上部横伝動ケース２０に対して回転自在である。つまり、左側中搬送ケース２４Ｌと右側中搬送ケース２４Ｒとは、上部横伝動ケース２０に回転自在に連結されている。
【０１６２】
左側中搬送伝動軸５４Ｌは、中央株元搬送機構Ｂｃ２に動力を伝達する。左側中搬送伝動軸５４Ｌの下端部には、中央株元搬送機構Ｂｃ２の駆動スプロケットＳｖ３が固定されている。
【０１６３】
図１１に示すように、左側中搬送伝動軸５４Ｌは、左側中搬送ケース２４Ｌに収容されている。左側中搬送ケース２４Ｌは、上部横伝動ケース２０と中央株元搬送機構Ｂｃ２とを連結する。左側中搬送ケース２４Ｌの上端部が上部横伝動ケース２０に連結され、下端部が筐体６３に接続されている。筐体６３は、軸６４を支持する。この軸６４には、中央株元搬送機構Ｂｃ２の駆動スプロケットＳｖ３が軸６４回りに回転可能に固定されている。
【０１６４】
右側中搬送ケース２４Ｒには、右側フレーム１７２が固定されている。右側フレーム１７２の一端は、右側中搬送ケース２４Ｒに固定され、他端は外形フレームＦ９に固定されている。外形フレームＦ９は、第一掻込機構Ｒｋ５の左側掻込機構の回転軸Ｇ９を回転可能に支持する。ロッド状の右側フレーム１７２によって、第一掻込機構Ｒｋ５の左側掻込機構と右側中搬送ケース２４Ｒとが連結される。このように、右側中搬送ケース２４Ｒは、中央掻込機構Ｒｃ２としての第一掻込機構Ｒｋ５の左側掻込機構と、上部横伝動ケース２０とを連結している。
【０１６５】
なお、刈取部３ａにおいては、右側中搬送ケース２４Ｒが用いられることなく、ロッド状の右側フレーム１７２が、第一掻込機構Ｒｋ５の左側掻込機構と三口継手５２とに接続されていてもよい。つまり、右側フレーム１７２は、中央掻込機構Ｒｃ２としての第一掻込機構Ｒｋ５の左側掻込機構と、上部横伝動ケース２０とを連結していてもよい。
【０１６６】
左側中搬送ケース２４Ｌには、左側第一フレーム１７３と左側第二フレーム１７４と左側第三フレーム１７５とが固定されている。左側第一フレーム１７３の一端は、左側中搬送ケース２４Ｌに固定され、他端は外形フレームＦａに固定されている。外形フレームＦａは、第二掻込機構Ｒｋ６の右側掻込機構の回転軸Ｇａを回転可能に支持する。ロッド状の左側第一フレーム１７３によって、第二掻込機構Ｒｋ６の右側掻込機構と左側中搬送ケース２４Ｌとが連結される。
【０１６７】
左側第二フレーム１７４の一端は、左側中搬送ケース２４Ｌに固定され、他端は外形フレームＦｂに固定されている。外形フレームＦｂは、第二掻込機構Ｒｋ６の左側掻込機構の回転軸Ｇｂを回転可能に支持する。ロッド状の左側第二フレーム１７４によって、第二掻込機構Ｒｋ６の左側掻込機構と左側中搬送ケース２４Ｌとが連結される。
【０１６８】
左側第三フレーム１７５の一端は、左側中搬送ケース２４Ｌに固定され、他端は外形フレームＦｃに固定されている。外形フレームＦｃは、第三掻込機構Ｒｋ７の回転軸Ｇｃを回転可能に支持する。ロッド状の左側第三フレーム１７５によって、第三掻込機構Ｒｋ７の右側掻込機構と左側中搬送ケース２４Ｌとが連結される。このように、左側中搬送ケース２４Ｒは、中央掻込機構Ｒｃ２としての第三掻込機構Ｒｋ７の右側掻込機構及び第二掻込機構Ｒｋ６と、上部横伝動ケース２０とを連結している。
【０１６９】
一方、右外側フレーム１７１を介して、外形フレームＦ８が刈取フレーム１０に下方から支持されている。外形フレームＦ８は、第一掻込機構Ｒｋ５の回転軸Ｇ８を回転可能に支持する。左外側フレーム１７６を介して、外形フレームＦｄが刈取フレーム１０に下方から支持されている。外形フレームＦｄは、第三掻込機構Ｒｋ７の回転軸Ｇｄを回転可能に支持する。
【０１７０】
左側中搬送伝動軸５４Ｌから取り出される動力は、中央株元搬送機構Ｂｃ２の駆動スプロケットＳｖ３に伝達される。駆動スプロケットＳｖ３の回転によって、駆動スプロケットＳｖ３と従動スプロケットＳｎ３との間において中央株元搬送機構Ｂｃ２の搬送チェンＨ３が駆動する。そして、従動スプロケットＳｎ３が固定された回転軸Ｇｂを中心にして左掻込輪ＳＴｂが回転を開始する。これにより、第二掻込機構Ｒｋ６の左側掻込機構が駆動して右側掻込機構が従動する。
【０１７１】
掻込装置３４ａによって後方に掻き込まれる６条分の穀稈は、刈刃３３によって切断される。切断後の右側２条分の穀稈、中央２条分の穀稈、及び、左側２条分の穀稈が、搬送装置３５において互いに合流しつつ脱穀部４に向かって搬送される。
【０１７２】
第２実施形態のコンバインは、引起装置３１が回転可能に構成されている。また、第２実施形態のコンバインは、左側株元搬送機構ＢＬ及び右側株元搬送機構ＢＲに対して中央掻込機構Ｒｃ２が移動可能に構成されている。刈取部３ａにおいて、中央掻込機構Ｒｃ２は、第一掻込機構Ｒｋ５の左側掻込機構、第二掻込機構Ｒｋ６、及び、第三掻込機構Ｒｋ７の右側掻込機構を含む。図１２（Ａ），（Ｂ）に示すように、中央掻込機構Ｒｃ２は、左側株元搬送機構ＢＬと右側株元搬送機構ＢＲとの間に位置する。
【０１７３】
図１１に示すように、第一掻込機構Ｒｋ５の左側掻込機構は、右側中搬送ケース２４Ｒに連結されている。右側中搬送ケース２４Ｒは、上部横伝動ケース２０に回転自在に連結されている。そのため、第一掻込機構Ｒｋ５の左側掻込機構は、上部横伝動ケース２０回りに前方に回転できる。このようにして、第一掻込機構Ｒｋ５の左側掻込機構は、左側株元搬送機構ＢＬ及び右側株元搬送機構ＢＲに対して移動できる（図１２（Ｂ）参照）。
【０１７４】
第三掻込機構Ｒｋ７の右側掻込機構と第二掻込機構Ｒｋ６とは、左側中搬送ケース２４Ｌに連結されている。左側中搬送ケース２４Ｌは、上部横伝動ケース２０に回転自在に連結されている。そのため、第三掻込機構Ｒｋ７の右側掻込機構と第二掻込機構Ｒｋ６とは、上部横伝動ケース２０回りに前方に回転できる。このとき、左側中搬送伝動軸５４Ｌが上部横伝動軸５０の軸心を中心にして左側中搬送ケース２４Ｌとともに前方に回転する。これにより、第三掻込機構Ｒｋ７の右側掻込機構と第二掻込機構Ｒｋ６とは、左側株元搬送機構ＢＬ及び右側株元搬送機構ＢＲに対して移動できる（図１２（Ｂ）参照）。
【０１７５】
このように、第２実施形態のコンバインは、左側中搬送ケース２４Ｌ、右側中搬送ケース２４Ｒ、及び、中央掻込機構Ｒｃ２が回転可能に構成されている。また、中央株元搬送機構Ｂｃ２は、中央掻込機構Ｒｃ２に連結されている。具体的には、中央株元搬送機構Ｂｃ２は、第二掻込機構Ｒｋ６の左側掻込機構に連結されている。そのため、中央株元搬送機構Ｂｃ２は、中央掻込機構Ｒｃ２とともに上部横伝動ケース２０回りに回転することによって、左側株元搬送機構ＢＬ及び右側株元搬送機構ＢＲに対して移動できる（図１２（Ｂ）参照）。
【０１７６】
このように、左側株元搬送機構ＢＬ及び右側株元搬送機構ＢＲに対して中央掻込機構Ｒｃ２が移動することによって、左側株元搬送機構ＢＬと中央掻込機構Ｒｃ２との間隔、及び、右側株元搬送機構ＢＲと中央掻込機構Ｒｃ２との間隔を広げることができる。そのため、左側株元搬送機構ＢＬ及び右側株元搬送機構ＢＲと中央掻込機構Ｒｃ２との間に詰まった穀稈を容易に取り除くことができる。
【０１７７】
更に、左側株元搬送機構ＢＬ及び右側株元搬送機構ＢＲに対して中央株元搬送機構Ｂｃ２が移動することによって、左側株元搬送機構ＢＬと中央株元搬送機構Ｂｃ２との間隔、及び、右側株元搬送機構ＢＲと中央株元搬送機構Ｂｃ２との間隔を広げることができる。そのため、右側株元搬送機構ＢＲの往路において中央株元搬送機構Ｂｃ２と近接する位置に形成される中間合流部Ｘ４に詰まった穀稈と、右側株元搬送機構ＢＲの往路において左側株元搬送機構ＢＬと近接する位置に形成される最終合流部Ｘ５に詰まった穀稈とを、容易に取り除くことができる。
【０１７８】
（第３実施形態）
次に、五条刈用の構成を有する刈取部３ｂを備えた、本発明の第３実施形態としてのコンバインについて、図１３〜図１５を用いて説明する。なお、以下において、第１実施形態のコンバイン１の構成と同一の構成については、同符号を付し、説明を省略する。
図１３は、第３実施形態のコンバインの刈取部３ｂの構成であって、動力を伝達する機構を示すブロック図である。
図１４は、中央掻込機構Ｒｃ３と上部横伝動ケース２０とを連結する構成を示す第３実施形態のコンバインの刈取部３ｂの平面図である。
図１５は、中央掻込機構Ｒｃ３の回転と中央株元搬送機構Ｂｃ３の回転とを示す第３実施形態のコンバインの刈取部３ｂの平面図である。図１５（Ａ）は、中央掻込機構Ｒｃ３と中央株元搬送機構Ｂｃ３とが回転していない状態を示している。図１５（Ｂ）は、中央掻込機構Ｒｃ３と中央株元搬送機構Ｂｃ３とが回転した状態を示している。
【０１７９】
図１３に示すように、第３実施形態のコンバインの刈取部３ｂは、掻込装置３４ｂを備える。掻込装置３４ｂは、第一掻込機構Ｒｋ８、第二掻込機構Ｒｋ９、及び、第三掻込機構Ｒｋａを備える。また、引起装置３１は、引起ケース６１を５条分５つ有する。引起装置３１は、１条毎の未刈穀稈を起立させる引起タインＳ１・Ｓ２・Ｓ３・Ｓ４・Ｓ５を備える。
【０１８０】
第一掻込機構Ｒｋ８は、掻込装置３４ｂのうちの最も右側に配置される掻込機構である。第一掻込機構Ｒｋ８は、５条分の穀稈のうち右側２条分の穀稈（右側から数えて一条目と二条目の穀稈）の株元を掻き込む。第一掻込機構Ｒｋ８は、それぞれ星形状を有する左右一対の掻込輪ＳＴｅ・ＳＴｆと、それぞれ突起が付いた左右一対の掻込ベルトＢＬｅ・ＢＬｆとを備える。
【０１８１】
第一掻込機構Ｒｋ８は、右側掻込機構と左側掻込機構とを有する。第一掻込機構Ｒｋ８の左側掻込機構は、中央掻込機構Ｒｃ３に含まれる。右側掻込機構は、右掻込輪ＳＴｅ、右掻込ベルトＢＬｅ、大径プーリＰｌｅ、小径プーリＰｓｅ、及び、回転軸Ｇｅ（図１４参照）を含む。左側掻込機構は、左掻込輪ＳＴｆ、左掻込ベルトＢＬｆ、大径プーリＰｌｆ、小径プーリＰｓｆ、及び、回転軸Ｇｆ（図１４参照）を含む。
【０１８２】
第二掻込機構Ｒｋ９は、掻込装置３４ｂのうちの第一掻込機構Ｒｋ８の左隣に配置される掻込機構である。第二掻込機構Ｒｋ９は、５条分の穀稈のうちの中央１条分の穀稈（三条目の穀稈）の株元を掻き込む。第二掻込機構Ｒｋ９は、星形状を有する単一の掻込輪ＳＴｇと、突起が付いた単一の掻込ベルトＢＬｇとを備える。
【０１８３】
第二掻込機構Ｒｋ９は、掻込輪ＳＴｇ、掻込ベルトＢＬｇ、大径プーリＰｌｇ、小径プーリＰｓｇ、及び、回転軸Ｇｇ（図１４参照）を含む。第二掻込機構Ｒｋ６は、中央掻込機構Ｒｃ３に含まれる。
【０１８４】
第三掻込機構Ｒｋａは、掻込装置３４ｂのうち、第二掻込機構Ｒｋ９の左隣に、つまり、最も左側に配置される掻込機構である。第三掻込機構Ｒｋａは、５条分の穀稈のうち左側２条分の穀稈（四条目と五条目の穀稈）の株元を掻き込む。第三掻込機構Ｒｋａは、それぞれ星形状を有する左右一対の掻込輪ＳＴｈ・ＳＴｉと、それぞれ突起が付いた左右一対の掻込ベルトＢＬｈ・ＢＬｉとを備える。
【０１８５】
第三掻込機構Ｒｋａは、右側掻込機構と左側掻込機構とを有する。第三掻込機構Ｒｋａの右側掻込機構は、中央掻込機構Ｒｃ３に含まれる。右側掻込機構は、右掻込輪ＳＴｈ、右掻込ベルトＢＬｈ、大径プーリＰｌｈ、小径プーリＰｓｈ、及び、回転軸Ｇｈ（図１４参照）を含む。左側掻込機構は、左掻込輪ＳＴｉ、左掻込ベルトＢＬｉ、大径プーリＰｌｉ、小径プーリＰｓｉ、及び、回転軸Ｇｉ（図１４参照）を含む。
【０１８６】
回転軸Ｇｅ・Ｇｆ・Ｇｇ・Ｇｈ・Ｇｉのうちの回転軸Ｇｅ・Ｇｇ・Ｇｉは、動力を受けて回転する。そのため、回転軸Ｇｅ・Ｇｇ・Ｇｉに固定された掻込輪ＳＴｅ・ＳＴｇ・ＳＴｉと掻込ベルトＢＬｅ・ＢＬｇ・ＢＬｉとは、動力に応じて駆動する。一方、回転軸Ｇｆ・Ｇｈに固定された掻込輪ＳＴｆ・ＳＴｈと掻込ベルトＢＬｆ・ＢＬｈとは、掻込輪ＳＴｅ・ＳＴｇ・ＳＴｉの回転を受けることによって回転する。
【０１８７】
従って、平面視において右掻込輪ＳＴｅが反時計回りに回転することによって、左掻込輪ＳＴｆが時計回りに回転する。また、平面視において掻込輪ＳＴｇ及び左掻込輪ＳＴｉが時計回りに回転することによって、右掻込輪ＳＴｈが反時計回りに回転する。このような掻込輪ＳＴｅ・ＳＴｆ・ＳＴｇ・ＳＴｈ・ＳＴｉの回転によって掻込ベルトＢＬｅ・ＢＬｆ・ＢＬｇ・ＢＬｈ・ＢＬｉが回転し、掻込装置３４ｂが穀稈を後上方に掻き込む。
【０１８８】
刈取部３ｂの搬送装置３５は、下部搬送装置Ｂ３を備える。
【０１８９】
図１５に示すように、下部搬送装置Ｂ３は、右側株元搬送機構ＢＲと、中央株元搬送機構Ｂｃ３と、左側株元搬送機構ＢＬとを備える。中央株元搬送機構Ｂｃ３は、左側株元搬送機構ＢＬと右側株元搬送機構ＢＲとの間に位置する。
【０１９０】
下部搬送装置Ｂ３には、中間合流部Ｘ６及び最終合流部Ｘ７が形成されている。中間合流部Ｘ６及び最終合流部Ｘ７は、右側株元搬送機構ＢＲの往路に位置する。中間合流部Ｘ６は、中央株元搬送機構Ｂｃ３と近接する位置に形成される。最終合流部Ｘ７は、左側株元搬送機構ＢＬと近接する位置に形成される。
【０１９１】
中間合流部Ｘ６は、中央株元搬送機構Ｂｃ３の往路における最終地点に対峙している。中間合流部Ｘ６は、右側株元搬送機構ＢＲの搬送始端部よりも下流に位置する。中間合流部Ｘ６においては、２条分の穀稈の株元に三条目の穀稈が追加される。最終合流部Ｘ７は、左側株元搬送機構ＢＬの往路における最終地点に対峙している。最終合流部Ｘ７は、中間合流部Ｘ６よりも下流に位置する。最終合流部Ｘ７においては、３条分の穀稈の株元に四条目及び五条目の穀稈が追加される。
【０１９２】
右側株元搬送機構ＢＲは、第一掻込機構Ｒｋ５によって掻き込まれた右側２条分の穀稈の株元に、中央株元搬送機構Ｂｃ３から搬送される１条分の穀稈の株元、及び、左側株元搬送機構ＢＬから搬送される２条分の穀稈の株元を合流させて、５条分の穀稈の株元を縦搬送装置Ｖまで把持しながら後上方に搬送する。
【０１９３】
右側株元搬送機構ＢＲの従動スプロケットＳｎ１は、第一掻込機構Ｒｋ８の回転軸Ｇｅに固定されている（図１４参照）。このように、右側株元搬送機構ＢＲは、第一掻込機構Ｒｋ８の右側掻込機構に連結されている。
【０１９４】
中央株元搬送機構Ｂｃ３は、第二掻込機構Ｒｋ９によって掻き込まれた中央１条分の穀稈の株元を中間合流部Ｘ６まで把持しながら後上方に搬送する。中央株元搬送機構Ｂｃ３は、第二掻込機構Ｒｋ９の後方であって左側株元搬送機構ＢＬの右前方に配置されている。中央株元搬送機構Ｂｃ３の搬送始端部は掻込輪ＳＴｇの上方に位置し、搬送終端部は搬送始端部よりも後方に位置する。中央株元搬送機構Ｂｃ３は、中央株元搬送機構Ｂｃ３の前端が後端よりも下方に位置するように後傾している。
【０１９５】
中央株元搬送機構Ｂｃ３の従動スプロケットＳｎ３は、第二掻込機構Ｒｋ９の回転軸Ｇｇに固定されている（図１４参照）。このように、中央株元搬送機構Ｂｃ３は、第二掻込機構Ｒｋ９に連結されている。
【０１９６】
左側株元搬送機構ＢＬは、第三掻込機構Ｒｋａで掻き込んだ左側２条分の穀稈の株元を最終合流部まで把持しながら後上方に搬送する。左側株元搬送機構ＢＬの搬送始端部は左掻込輪ＳＴｉの上方に位置し、搬送終端部は搬送始端部よりも右後方に位置する。左側株元搬送機構ＢＬは、左側株元搬送機構ＢＬの前端が後端よりも下方に位置するように後傾している。
【０１９７】
左側株元搬送機構ＢＬの従動スプロケットＳｎ４は、第三掻込機構Ｒｋ７の回転軸Ｇｄに固定されている（図１４参照）。このように、左側株元搬送機構ＢＬは、第三掻込機構Ｒｋ７の左側掻込機構に連結されている。
【０１９８】
右側株元搬送機構ＢＲは、先ず、２条分（一条目及び二条目）の穀稈を搬送し、中間合流部Ｘ６において、中央１条分の穀稈を追加して最終合流部へ搬送する。そして、右側株元搬送機構ＢＲは、最終合流部Ｘ７において、３条分の穀稈に、左側２条分の穀稈を追加する。そして、最終合流部Ｘ７を通過した５条分の穀稈は、縦搬送装置Ｖを介してフィードチェン５に搬送される。
【０１９９】
次に、動力を刈取部３ｂにおいて伝達する構成について説明する。
【０２００】
図１３に示すように、上部横伝動軸５０には、ベベルギヤを介して左側中搬送伝動軸５５Ｌの上端が連結されている。左側中搬送ケース２５Ｌの上端は、三口継手５１を介して上部横伝動ケース２０に連結される。右側中搬送ケース２５Ｒの上端は、三口継手５２を介して上部横伝動ケース２０に連結される。三口継手５１及び三口継手５２は、上部横伝動ケース２０に対して回転自在である。つまり、左側中搬送ケース２５Ｌと右側中搬送ケース２５Ｒとは、上部横伝動ケース２０に回転自在に連結されている。
【０２０１】
左側中搬送伝動軸５５Ｌは、中央株元搬送機構Ｂｃ３に動力を伝達する。左側中搬送伝動軸５５Ｌの下端部には、中央株元搬送機構Ｂｃ３の駆動スプロケットＳｖ３が固定されている。
【０２０２】
図１４に示すように、左側中搬送伝動軸５５Ｌは、左側中搬送ケース２５Ｌに収容されている。左側中搬送ケース２５Ｌは、上部横伝動ケース２０と中央株元搬送機構Ｂｃ３とを連結する。左側中搬送ケース２５Ｌの上端部が上部横伝動ケース２０に連結され、下端部が筐体６３に接続されている。筐体６３は、軸６４を支持する。この軸６４には、中央株元搬送機構Ｂｃ３の駆動スプロケットＳｖ３が軸６４回りに回転可能に固定されている。
【０２０３】
右側中搬送ケース２５Ｒには、右側フレーム２７２が固定されている。右側フレーム２７２の一端は、右側中搬送ケース２５Ｒに固定され、他端は外形フレームＦｆに固定されている。外形フレームＦｆは、第一掻込機構Ｒｋ８の左側掻込機構の回転軸Ｇｆを支持する。ロッド状の右側フレーム２７２によって、第一掻込機構Ｒｋ８の左側掻込機構と右側中搬送ケース２５Ｒとが連結される。このように、右側中搬送ケース２５Ｒは、中央掻込機構Ｒｃ３としての第一掻込機構Ｒｋ８の左側掻込機構と、上部横伝動ケース２０とを連結している。
【０２０４】
なお、刈取部３ｂにおいては、右側中搬送ケース２５Ｒが用いられることなく、ロッド状の右側フレーム２７２が、第一掻込機構Ｒｋ８の左側掻込機構と三口継手５２とに接続されていてもよい。つまり、右側フレーム２７２は、中央掻込機構Ｒｃ３としての第一掻込機構Ｒｋ８の左側掻込機構と、上部横伝動ケース２０とを連結していてもよい。
【０２０５】
左側中搬送ケース２５Ｌには、左側第一フレーム２７３と左側第二フレーム２７４とが固定されている。左側第一フレーム２７３の一端は、左側中搬送ケース２５Ｌに固定され、他端は外形フレームＦｇに固定されている。外形フレームＦｇは、第二掻込機構Ｒｋ９の回転軸Ｇｇを回転可能に支持する。ロッド状の左側第一フレーム２７３によって、第二掻込機構Ｒｋ９と左側中搬送ケース２５Ｌとが連結される。
【０２０６】
左側第二フレーム２７４の一端は、左側中搬送ケース２５Ｌに固定され、他端は外形フレームＦｈに固定されている。外形フレームＦｈは、第三掻込機構Ｒｋａの右側掻込機構の回転軸Ｇｈを回転可能に支持する。ロッド状の左側第二フレーム２７４によって、第三掻込機構Ｒｋａの右側掻込機構と左側中搬送ケース２５Ｌとが連結される。このように、左側中搬送ケース２５Ｒは、中央掻込機構Ｒｃ３としての第三掻込機構Ｒｋａの右側掻込機構及び第二掻込機構Ｒｋ９と、上部横伝動ケース２０とを連結している。
【０２０７】
一方、右外側フレーム２７１を介して、外形フレームＦｅが刈取フレーム１０に下方から支持されている。外形フレームＦｅは、第一掻込機構Ｒｋ８の回転軸Ｇｅを回転可能に支持する。左外側フレーム２７５を介して、外形フレームＦｉが刈取フレーム１０に下方から支持されている。外形フレームＦｉは、第三掻込機構Ｒｋａの回転軸Ｇｉを回転可能に支持する。
【０２０８】
左側中搬送伝動軸５５Ｌから取り出される動力は、中央株元搬送機構Ｂｃ３の駆動スプロケットＳｖ３に伝達される。駆動スプロケットＳｖ３の回転によって、駆動スプロケットＳｖ３と従動スプロケットＳｎ３との間において中央株元搬送機構Ｂｃ３の搬送チェンＨ３が駆動する。そして、従動スプロケットＳｎ３が固定された回転軸Ｇｇを中心にして掻込輪ＳＴｇが回転を開始する。これにより、第二掻込機構Ｒｋ９が駆動する。
【０２０９】
掻込装置３４ｂによって後方に掻き込まれる５条分の穀稈は、刈刃３３によって切断される。切断後の右側２条分の穀稈、中央１条分の穀稈、及び、左側２条分の穀稈が、搬送装置３５において互いに合流しつつ脱穀部４に向かって搬送される。
【０２１０】
第３実施形態のコンバインは、引起装置３１が回転可能に構成されている。また、第３実施形態のコンバインは、左側株元搬送機構ＢＬ及び右側株元搬送機構ＢＲに対して中央掻込機構Ｒｃ３が移動可能に構成されている。刈取部３ｂにおいて、中央掻込機構Ｒｃ３は、第一掻込機構Ｒｋ８の左側掻込機構、第二掻込機構Ｒｋ９、及び、第三掻込機構Ｒｋａの右側掻込機構を含む。図１５（Ａ），（Ｂ）に示すように、中央掻込機構Ｒｃ３は、左側株元搬送機構ＢＬと右側株元搬送機構ＢＲとの間に位置する。
【０２１１】
第一掻込機構Ｒｋ８の左側掻込機構は、右側中搬送ケース２５Ｒに連結されている。右側中搬送ケース２５Ｒは、上部横伝動ケース２０に回転自在に連結されている。そのため、第一掻込機構Ｒｋ８の左側掻込機構は、上部横伝動ケース２０回りに前方に回転できる。このようにして、第一掻込機構Ｒｋ８の左側掻込機構は、左側株元搬送機構ＢＬ及び右側株元搬送機構ＢＲに対して移動できる（図１５（Ｂ）参照）。
【０２１２】
第三掻込機構Ｒｋａの右側掻込機構と第二掻込機構Ｒｋ９とは、左側中搬送ケース２５Ｌに連結されている。左側中搬送ケース２５Ｌは、上部横伝動ケース２０に回転自在に連結されている。そのため、第三掻込機構Ｒｋａの右側掻込機構と第二掻込機構Ｒｋ９とは、上部横伝動ケース２０回りに前方に回転できる。このとき、左側中搬送伝動軸５５Ｌが上部横伝動軸５０の軸心を中心にして左側中搬送ケース２５Ｌとともに前方に回転する。これにより、第三掻込機構Ｒｋａの右側掻込機構と第二掻込機構Ｒｋ９とは、左側株元搬送機構ＢＬ及び右側株元搬送機構ＢＲに対して移動できる（図１５（Ｂ）参照）。
【０２１３】
このように、第３実施形態のコンバインは、左側中搬送ケース２５Ｌ、右側中搬送ケース２５Ｒ、及び、中央掻込機構Ｒｃ３が回転可能に構成されている。また、中央株元搬送機構Ｂｃ３は、中央掻込機構Ｒｃ３に連結されている。具体的には、中央株元搬送機構Ｂｃ３は、第二掻込機構Ｒｋ９に連結されている。そのため、中央株元搬送機構Ｂｃ３は、中央掻込機構Ｒｃ３とともに上部横伝動ケース２０回りに回転することによって、左側株元搬送機構ＢＬ及び右側株元搬送機構ＢＲに対して移動できる（図１５（Ｂ）参照）。
【０２１４】
このように、左側株元搬送機構ＢＬ及び右側株元搬送機構ＢＲに対して中央掻込機構Ｒｃ３が移動することによって、左側株元搬送機構ＢＬと中央掻込機構Ｒｃ３との間隔、及び、右側株元搬送機構ＢＲと中央掻込機構Ｒｃ３との間隔を広げることができる。そのため、左側株元搬送機構ＢＬ及び右側株元搬送機構ＢＲと中央掻込機構Ｒｃ３との間に詰まった穀稈を容易に取り除くことができる。
【０２１５】
更に、左側株元搬送機構ＢＬ及び右側株元搬送機構ＢＲに対して中央株元搬送機構Ｂｃ３が移動することによって、左側株元搬送機構ＢＬと中央株元搬送機構Ｂｃ３との間隔、及び、右側株元搬送機構ＢＲと中央株元搬送機構Ｂｃ３との間隔を広げることができる。そのため、右側株元搬送機構ＢＲの往路において中央株元搬送機構Ｂｃ３と近接する位置に形成される中間合流部Ｘ６に詰まった穀稈と、右側株元搬送機構ＢＲの往路において左側株元搬送機構ＢＬと近接する位置に形成される最終合流部Ｘ７に詰まった穀稈とを、容易に取り除くことができる。
【０２１６】
（第４実施形態）
次に、四条刈用の構成を有する刈取部３ｃを備えた、本発明の第４実施形態としてのコンバインについて、図１６〜図１８を用いて説明する。なお、以下において、第１実施形態のコンバイン１の構成と同一の構成については、同符号を付し、説明を省略する。
図１６は、第４実施形態のコンバインの刈取部３ｃの構成であって、動力を伝達する機構を示すブロック図である。
図１７は、中央掻込機構Ｒｃ４と上部横伝動ケース２０とを連結する構成を示す第４実施形態のコンバインの刈取部３ｃの平面図である。
図１８は、中央掻込機構Ｒｃ４の回転を示す第４実施形態のコンバインの刈取部３ｃの平面図である。図１８（Ａ）は、中央掻込機構Ｒｃ４が回転していない状態を示している。図１５（Ｂ）は、中央掻込機構Ｒｃ４が回転した状態を示している。
【０２１７】
図１６に示すように、第４実施形態のコンバインの刈取部３ｃは、掻込装置３４ｃを備える。掻込装置３４ｃは、第一掻込機構Ｒｋｂ及び第二掻込機構Ｒｋｃを備える。また、引起装置３１は、引起ケース６１を４条分４つ有する。引起装置３１は、１条毎の未刈穀稈を起立させる引起タインＳ１・Ｓ２・Ｓ３・Ｓ４を備える。
【０２１８】
第一掻込機構Ｒｋｂは、掻込装置３４ｃのうちの右側に配置される掻込機構である。第一掻込機構Ｒｋｂは、４条分の穀稈のうち右側２条分の穀稈（右側から数えて一条目と二条目の穀稈）の株元を掻き込む。第一掻込機構Ｒｋｂは、それぞれ星形状を有する左右一対の掻込輪ＳＴｊ・ＳＴｋと、それぞれ突起が付いた左右一対の掻込ベルトＢＬｊ・ＢＬｋとを備える。
【０２１９】
第一掻込機構Ｒｋｂは、右側掻込機構と左側掻込機構とを有する。第一掻込機構Ｒｋｂの左側掻込機構は、中央掻込機構Ｒｃ４に含まれる。右側掻込機構は、右掻込輪ＳＴｊ、右掻込ベルトＢＬｊ、大径プーリＰｌｊ、小径プーリＰｓｊ、及び、回転軸Ｇｊ（図１７参照）を含む。左側掻込機構は、左掻込輪ＳＴｋ、左掻込ベルトＢＬｋ、大径プーリＰｌｋ、小径プーリＰｓｋ、及び、回転軸Ｇｋ（図１７参照）を含む。
【０２２０】
第二掻込機構Ｒｋｃは、掻込装置３４ｃのうちの左側に配置される掻込機構である。第二掻込機構Ｒｋｃは、４条分の穀稈のうち左側２条分の穀稈（三条目と四条目の穀稈）の株元を掻き込む。第二掻込機構Ｒｋｃは、それぞれ星形状を有する左右一対の掻込輪ＳＴｌ・ＳＴｍと、それぞれ突起が付いた左右一対の掻込ベルトＢＬｌ・ＢＬｍとを備える。
【０２２１】
第二掻込機構Ｒｋｃは、右側掻込機構と左側掻込機構とを有する。第二掻込機構Ｒｋｃの右側掻込機構は、中央掻込機構Ｒｃ４に含まれる。右側掻込機構は、右掻込輪ＳＴｌ、右掻込ベルトＢＬｌ、大径プーリＰｌｌ、小径プーリＰｓｌ、及び、回転軸Ｇｌ（図１７参照）を含む。左側掻込機構は、左掻込輪ＳＴｍ、左掻込ベルトＢＬｍ、大径プーリＰｌｍ、小径プーリＰｓｍ、及び、回転軸Ｇｍ（図１７参照）を含む。
【０２２２】
回転軸Ｇｊ・Ｇｋ・Ｇｌ・Ｇｍのうちの回転軸Ｇｊ・Ｇｍは、動力を受けて回転する。そのため、回転軸Ｇｊ・Ｇｍに固定された掻込輪ＳＴｊ・ＳＴｍと掻込ベルトＢＬｊ・ＢＬｍとは、動力に応じて駆動する。一方、回転軸Ｇｋ・Ｇｌに固定された掻込輪ＳＴｋ・ＳＴｌと掻込ベルトＢＬｋ・ＢＬｌとは、掻込輪ＳＴｊ・ＳＴｍの回転を受けることによって回転する。
【０２２３】
従って、平面視において右掻込輪ＳＴｊが反時計回りに回転することによって、左掻込輪ＳＴｋが時計回りに回転する。また、平面視において左掻込輪ＳＴｍが時計回りに回転することによって、右掻込輪ＳＴｌが反時計回りに回転する。このような掻込輪ＳＴｊ・ＳＴｋ・ＳＴｌ・ＳＴｍの回転によって掻込ベルトＢＬｊ・ＢＬｋ・ＢＬｌ・ＢＬｍが回転し、掻込装置３４ｃが穀稈を後上方に掻き込む。
【０２２４】
刈取部３ｃの搬送装置３５は、下部搬送装置Ｂ４を備える。
【０２２５】
図１８に示すように、下部搬送装置Ｂ４は、右側株元搬送機構ＢＲと、左側株元搬送機構ＢＬとを備える。
【０２２６】
下部搬送装置Ｂ４には、合流部Ｘ８が形成されている。この合流部Ｘ８は、右側株元搬送機構ＢＲの往路に位置し、左側株元搬送機構ＢＬと近接する位置に形成される。合流部Ｘ８においては、２条分の穀稈の株元に三条目及び四条目の穀稈が追加される。合流部Ｘ８は、左側株元搬送機構ＢＬの往路における最終地点に対峙している。
【０２２７】
右側株元搬送機構ＢＲは、第一掻込機構Ｒｋｂによって掻き込まれた右側２条分の穀稈の株元に、左側株元搬送機構ＢＬから搬送される２条分の穀稈の株元を合流させて、４条分の穀稈の株元を縦搬送装置Ｖまで把持しながら後上方に搬送する。
【０２２８】
右側株元搬送機構ＢＲの従動スプロケットＳｎ１は、第一掻込機構Ｒｋｂの回転軸Ｇｊに固定されている（図１７参照）。このように、右側株元搬送機構ＢＲは、第一掻込機構Ｒｋｂの右側掻込機構に連結されている。
【０２２９】
左側株元搬送機構ＢＬは、第二掻込機構Ｒｋｃで掻き込んだ左側２条分の穀稈の株元を合流部まで把持しながら後上方に搬送する。左側株元搬送機構ＢＬの搬送始端部は左掻込輪ＳＴｍの上方に位置し、搬送終端部は搬送始端部よりも右後方に位置する。左側株元搬送機構ＢＬは、左側株元搬送機構ＢＬの前端が後端よりも下方に位置するように後傾している。
【０２３０】
左側株元搬送機構ＢＬの従動スプロケットＳｎ４は、第二掻込機構Ｒｋｃの回転軸Ｇｍに固定されている（図１７参照）。このように、左側株元搬送機構ＢＬは、第二掻込機構Ｒｋｃの左側掻込機構に連結されている。
【０２３１】
右側株元搬送機構ＢＲは、先ず、２条分（一条目及び二条目）の穀稈を搬送し、合流部Ｘ８において２条分の穀稈に左側２条分の穀稈を追加する。そして、合流部Ｘ８を通過した４条分の穀稈は、縦搬送装置Ｖを介してフィードチェン５に搬送される。
【０２３２】
次に、動力を刈取部３ｃにおいて伝達する構成について説明する。
【０２３３】
第４実施形態のコンバインは、上部縦伝動軸と上部横伝動軸とを備えていない。つまり、上部センターケース１９には、上部縦伝動軸が収容されていない。上部横伝動ケース２０には、上部横伝動軸が収容されていない。また、第４実施形態のコンバインは、左側中搬送伝動軸と右側中搬送伝動軸とを備えておらず、左右の中搬送ケース２６Ｌ・２６Ｒは、中搬送伝動軸を収容していない。
【０２３４】
図１７に示すように、左側中搬送ケース２６Ｌの上端は、三口継手５１を介して上部横伝動ケース２０に連結される。右側中搬送ケース２６Ｒの上端は、三口継手５２を介して上部横伝動ケース２０に連結される。三口継手５１及び三口継手５２は、上部横伝動ケース２０に対して回転自在である。つまり、左側中搬送ケース２６Ｌと右側中搬送ケース２６Ｒとは、上部横伝動ケース２０に回転自在に連結されている。
【０２３５】
右側中搬送ケース２６Ｒには、右側フレーム３７２が固定されている。右側フレーム３７２の一端は、右側中搬送ケース２６Ｒに固定され、他端は外形フレームＦｋに固定されている。外形フレームＦｋは、第一掻込機構Ｒｋｂの左側掻込機構の回転軸Ｇｋを回転可能に支持する。ロッド状の右側フレーム３７２によって、第一掻込機構Ｒｋｂの左側掻込機構と右側中搬送ケース２６Ｒとが連結される。このように、右側中搬送ケース２６Ｒは、中央掻込機構Ｒｃ４としての第一掻込機構Ｒｋｂの左側掻込機構と、上部横伝動ケース２０とを連結している。
【０２３６】
なお、刈取部３ｃにおいては、右側中搬送ケース２６Ｒが用いられることなく、ロッド状の右側フレーム３７２が、第一掻込機構Ｒｋｂの左側掻込機構と三口継手５２とに接続されていてもよい。つまり、右側フレーム３７２は、中央掻込機構Ｒｃ４としての第一掻込機構Ｒｋｂの左側掻込機構と、上部横伝動ケース２０とを連結していてもよい。
【０２３７】
左側中搬送ケース２６Ｌには、左側フレーム３７３が固定されている。左側フレーム３７３の一端は、左側中搬送ケース２６Ｌに固定され、他端は外形フレームＦｌに固定されている。外形フレームＦｌは、第二掻込機構Ｒｋｃの右側掻込機構の回転軸Ｇｌを回転可能に支持する。ロッド状の左側フレーム３７３によって、第二掻込機構Ｒｋｃの右側掻込機構と左側中搬送ケース２６Ｌとが連結される。このように、左側中搬送ケース２６Ｒは、中央掻込機構Ｒｃ４としての第二掻込機構Ｒｋｃの右側掻込機構と、上部横伝動ケース２０とを連結している。
【０２３８】
なお、刈取部３ｃにおいては、左側中搬送ケース２６Ｌが用いられることなく、ロッド状の左側フレーム３７３が、第二掻込機構Ｒｋｃの右側掻込機構と三口継手５１とに接続されていてもよい。つまり、左側フレーム３７３は、中央掻込機構Ｒｃ４としての第二掻込機構Ｒｋｃの右側掻込機構と、上部横伝動ケース２０とを連結していてもよい。
【０２３９】
一方、右外側フレーム３７１を介して、外形フレームＦｊが刈取フレーム１０に下方から支持されている。外形フレームＦｊは、第一掻込機構Ｒｋｂの回転軸Ｇｊを回転可能に支持する。左外側フレーム３７４を介して、外形フレームＦｍが刈取フレーム１０に下方から支持されている。外形フレームＦｍは、第二掻込機構Ｒｋｃの回転軸Ｇｍを回転可能に支持する。
【０２４０】
掻込装置３４ｃによって後方に掻き込まれる４条分の穀稈は、刈刃３３によって切断される。切断後の右側２条分の穀稈及び左側２条分の穀稈が、搬送装置３５において互いに合流しつつ脱穀部４に向かって搬送される。
【０２４１】
第４実施形態のコンバインは、引起装置３１が回転可能に構成されている。また、第４実施形態のコンバインは、左側株元搬送機構ＢＬ及び右側株元搬送機構ＢＲに対して中央掻込機構Ｒｃ４が移動可能に構成されている。刈取部３ｃにおいて、中央掻込機構Ｒｃ４は、第一掻込機構Ｒｋｂの左側掻込機構、及び、第二掻込機構Ｒｋｃの右側掻込機構を含む。図１８（Ａ），（Ｂ）に示すように、中央掻込機構Ｒｃ４は、左側株元搬送機構ＢＬと右側株元搬送機構ＢＲとの間に位置する。
【０２４２】
第一掻込機構Ｒｋｂの左側掻込機構は、右側中搬送ケース２６Ｒに連結されている。右側中搬送ケース２６Ｒは、上部横伝動ケース２０に回転自在に連結されている。そのため、第一掻込機構Ｒｋｂの左側掻込機構は、上部横伝動ケース２０回りに前方に回転できる。このようにして、第一掻込機構Ｒｋｂの左側掻込機構は、左側株元搬送機構ＢＬ及び右側株元搬送機構ＢＲに対して移動できる（図１８（Ｂ）参照）。
【０２４３】
第二掻込機構Ｒｋｃの右側掻込機構は、左側中搬送ケース２５Ｌに連結されている。左側中搬送ケース２５Ｌは、上部横伝動ケース２０に回転自在に連結されている。そのため、第二掻込機構Ｒｋｃの右側掻込機構は、上部横伝動ケース２０回りに前方に回転できる。このようにして、第二掻込機構Ｒｋｃの右側掻込機構は、左側株元搬送機構ＢＬ及び右側株元搬送機構ＢＲに対して移動できる（図１８（Ｂ）参照）。
【０２４４】
このように、第４実施形態のコンバインは、左側中搬送ケース２６Ｌ、右側中搬送ケース２６Ｒ、及び、中央掻込機構Ｒｃ４が回転可能に構成されている。左側株元搬送機構ＢＬ及び右側株元搬送機構ＢＲに対して中央掻込機構Ｒｃ４が移動することによって、左側株元搬送機構ＢＬと中央掻込機構Ｒｃ４との間隔、及び、右側株元搬送機構ＢＲと中央掻込機構Ｒｃ４との間隔を広げることができる。そのため、左側株元搬送機構ＢＬ及び右側株元搬送機構ＢＲと中央掻込機構Ｒｃ４との間に詰まった穀稈を容易に取り除くことができる。また、オペレータは、右側株元搬送機構ＢＲの往路において左側株元搬送機構ＢＬと近接する位置に形成される合流部Ｘ８に詰まった穀稈を取り除くために、合流部Ｘ８まで容易に手を届かせることができる。
【符号の説明】
【０２４５】
１            コンバイン
３            刈取部
２０          上部横伝動ケース
２３Ｌ        左側中搬送ケース
２３Ｒ        右側中搬送ケース
４９          上部縦伝動軸
５０          上部横伝動軸
５３Ｌ        左側中搬送伝動軸
５３Ｒ        右側中搬送伝動軸
Ｂｃ１        中央株元搬送機構
ＢＬ          左側株元搬送機構
ＢＲ          右側株元搬送機構
Ｒｃ１        中央掻込機構
【図１】
2016140332.tif 000003
【図２】
2016140332.tif 000004
【図３】
2016140332.tif 000005
【図４】
2016140332.tif 000006
【図５】
2016140332.tif 000007
【図６】
2016140332.tif 000008
【図７】
2016140332.tif 000009
【図８】
2016140332.tif 000010
【図９】
2016140332.tif 000011
【図１０】
2016140332.tif 000012
【図１１】
2016140332.tif 000013
【図１２】
2016140332.tif 000014
【図１３】
2016140332.tif 000015
【図１４】
2016140332.tif 000016
【図１５】
2016140332.tif 000017
【図１６】
2016140332.tif 000018
【図１７】
2016140332.tif 000019
【図１８】
2016140332.tif 000020